(57)【要約】  灯具（１００）は、紫外線又は短波長可視光を発する発光素子（１１２）と、発光素子（１１２）から離間して配置された光波長変換部材（１１４）であって、外部から視認可能に配置された白色表面（１２６）を備える光波長変換部材（１１４）と、を備える。光波長変換部材（１１４）は、発光素子（１１２）の点灯により白色表面（１２６）を所定色で発光させるために複数種類の蛍光体を有し、少なくとも一種の蛍光体の母体色が白色である。
2019059065.tif 000002
【特許請求の範囲】
【請求項１】
紫外線又は短波長可視光を発する発光素子と、  前記発光素子から離間して配置された光波長変換部材であって、外部から視認可能に配置された白色表面を備える光波長変換部材と、を備え、  前記光波長変換部材は、前記発光素子の点灯により前記白色表面を所定色で発光させるために複数種類の蛍光体を有し、少なくとも一種の蛍光体の母体色が白色であることを特徴とする灯具。
【請求項２】
前記光波長変換部材は、  前記紫外線又は短波長可視光により励起され、第１ドミナント波長を有する第１変換光を発する第１蛍光体を含有する第１蛍光体含有シートと、  前記紫外線又は短波長可視光により励起され、第１ドミナント波長より短い第２ドミナント波長を有する第２変換光を発する第２蛍光体を含有し、前記第２蛍光体の母体色が白色である第２蛍光体含有シートと、を備えることを特徴とする請求項１に記載の灯具。
【請求項３】
前記第２蛍光体含有シートは、前記第１蛍光体含有シートの外側に配置され、前記第２蛍光体含有シートが前記白色表面を形成し、又は、  前記光波長変換部材は、前記第２蛍光体含有シートの外側に配置され、白色の拡散材を含有する拡散材含有シートを備え、前記拡散材含有シートが前記白色表面を形成することを特徴とする請求項２に記載の灯具。
【請求項４】
前記光波長変換部材は、前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体の両方を含有し、前記第２蛍光体の母体色が白色である混合蛍光体含有シートを備えることを特徴とする請求項１に記載の灯具。
【請求項５】
前記混合蛍光体含有シートが前記白色表面を形成し、又は、  前記光波長変換部材は、前記混合蛍光体含有シートの外側に配置され、白色の拡散材を含有する拡散材含有シートを備え、前記拡散材含有シートが前記白色表面を形成することを特徴とする請求項４に記載の灯具。
【請求項６】
前記光波長変換部材の厚さは、０．１〜２０ｍｍの範囲にあることを特徴とする請求項１から５のいずれかに記載の灯具。
【請求項７】
前記光波長変換部材における第１蛍光体の濃度は、０．１〜２０体積％の範囲にあり、前記光波長変換部材における第２蛍光体の濃度は、０．１〜２０体積％の範囲にあることを特徴とする請求項１から６のいずれかに記載の灯具。
【請求項８】
前記紫外線又は短波長可視光により励起され、第１ドミナント波長を有する第１変換光を発する第１蛍光体を含有する第１蛍光体含有層をさらに備え、  前記光波長変換部材は、前記紫外線又は短波長可視光により励起され、第１ドミナント波長より短い第２ドミナント波長を有する第２変換光を発する第２蛍光体を含有し、前記第２蛍光体の母体色が白色である第２蛍光体含有層を備えることを特徴とする請求項１に記載の灯具。
【請求項９】
前記光波長変換部材は、少なくとも前記第２蛍光体含有層を支持する透明支持部材を備え、前記透明支持部材は、前記発光素子から離間して配置され前記発光素子側を向く内面を有し、  前記第２蛍光体含有層が、前記透明支持部材の前記内面と前記第１蛍光体含有層との間に配置されていることを特徴とする請求項８に記載の灯具。
【請求項１０】
前記透明支持部材は、前記発光素子とは反対側を向く外面を有し、  前記透明支持部材の前記外面は、前記光波長変換部材から出射する出射光の出射方向を制御するよう光学設計された光学形状を備えることを特徴とする請求項９に記載の灯具。
【請求項１１】
前記光波長変換部材は、少なくとも前記第２蛍光体含有層を支持する透明支持部材を備え、前記透明支持部材は、前記発光素子から離間して配置され前記発光素子側を向く内面と、前記発光素子とは反対側を向く外面とを有し、  前記第２蛍光体含有層は、前記透明支持部材の前記外面の外側に配置され、  前記第１蛍光体含有層は、前記透明支持部材の前記外面と前記第２蛍光体含有層との間に、又は、前記透明支持部材の前記内面と前記発光素子との間に配置されていることを特徴とする請求項８に記載の灯具。
【請求項１２】
前記透明支持部材の前記内面は、前記光波長変換部材の発光面の輝度分布を制御するよう光学設計された光学形状を備えることを特徴とする請求項１１に記載の灯具。
【請求項１３】
前記第２蛍光体含有層は、基材と前記基材に分散した第２蛍光体粒子とを備える第２蛍光体含有シートとして形成されていることを特徴とする請求項８に記載の灯具。
【請求項１４】
前記第１蛍光体含有層は、前記第２蛍光体含有シート上に形成され、又は、前記第２蛍光体含有シートと前記発光素子との間に配置され、又は、前記発光素子の発光面を被覆していることを特徴とする請求項１３に記載の灯具。
【請求項１５】
前記第２蛍光体含有層が前記白色表面を形成することを特徴とする請求項８から１４のいずれかに記載の灯具。
【請求項１６】
前記光波長変換部材は、    前記紫外線又は短波長可視光により励起され、第１ドミナント波長を有する第１変換光を発する第１蛍光体粒子を含有する第１蛍光体含有層と、    前記紫外線又は短波長可視光により励起され、第１ドミナント波長より短い第２ドミナント波長を有する第２変換光を発する第２蛍光体粒子を含有し、前記第２蛍光体粒子の母体色が白色である第２蛍光体含有層と、を備え、  前記第２蛍光体含有層は、前記第１蛍光体含有層に対し前記発光素子とは反対側に配置されており、  前記第２蛍光体粒子の粒径が、前記第１蛍光体粒子の粒径より小さいことを特徴とする請求項１に記載の灯具。
【請求項１７】
前記第１蛍光体含有層は、基材と前記基材に分散した前記第１蛍光体粒子とを備える第１蛍光体含有シートとして形成され、  前記第２蛍光体含有層は、基材と前記基材に分散した前記第２蛍光体粒子とを備える第２蛍光体含有シートとして形成されていることを特徴とする請求項１６に記載の灯具。
【請求項１８】
前記光波長変換部材は、前記第１蛍光体含有層と前記第２蛍光体含有層とを備える単一の蛍光体含有シートを備えることを特徴とする請求項１６に記載の灯具。
【請求項１９】
前記光波長変換部材は、前記第１蛍光体含有層と前記第２蛍光体含有層とを支持する透明支持部材を備えることを特徴とする請求項１６に記載の灯具。
【請求項２０】
前記第２蛍光体含有層は、外部から視認可能に配置されかつ前記発光素子の点灯により所定色で発光する白色表面を備えることを特徴とする請求項１６から１９のいずれかに記載の灯具。
【請求項２１】
前記光波長変換部材は、前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体とを含有し、前記第２蛍光体の母体色が白色であり、  前記光波長変換部材は、少なくとも１つの低濃度領域と、前記光波長変換部材の厚さ方向に垂直な面内において前記少なくとも１つの低濃度領域に比べて前記発光素子から離れて位置する少なくとも１つの高濃度領域と、を備え、  前記高濃度領域での前記第１蛍光体の濃度が前記低濃度領域での前記第１蛍光体の濃度より高く、及び／または、前記高濃度領域での前記第２蛍光体の濃度が前記低濃度領域での前記第２蛍光体の濃度より高いことを特徴とする請求項１に記載の灯具。
【請求項２２】
前記少なくとも１つの低濃度領域は、前記発光素子の直上に位置する低濃度領域を含み、前記少なくとも１つの高濃度領域は、前記発光素子の直上に位置する低濃度領域の周囲に位置する高濃度領域を含むことを特徴とする請求項２１に記載の灯具。
【請求項２３】
複数の発光素子を備え、  前記少なくとも１つの低濃度領域は、対応する発光素子の直上に各々が位置する複数の低濃度領域を含み、  前記少なくとも１つの高濃度領域は、隣接する発光素子間の直上に各々が位置する複数の高濃度領域を含むことを特徴とする請求項２１または２２に記載の灯具。
【請求項２４】
前記少なくとも１つの高濃度領域は、前記光波長変換部材の外周の少なくとも一部に沿って延在する高濃度領域を含むことを特徴とする請求項２１から２３のいずれかに記載の灯具。
【請求項２５】
前記光波長変換部材の外周の少なくとも一部に沿って延在する高濃度領域は、前記光波長変換部材の外周の全体に沿って延在することを特徴とする請求項２４に記載の灯具。
【請求項２６】
前記光波長変換部材の外周の少なくとも一部に沿って延在する高濃度領域の内周は、前記光波長変換部材の外周から１〜５ｍｍの範囲にあることを特徴とする請求項２４または２５に記載の灯具。
【請求項２７】
前記高濃度領域での前記第１蛍光体の濃度は、０．１〜２０体積％の範囲にあり、前記低濃度領域での前記第１蛍光体の濃度は、０．０１〜１０体積％の範囲にあることを特徴とする請求項２１から２６のいずれかに記載の灯具。
【請求項２８】
前記高濃度領域での前記第２蛍光体の濃度は、０．１〜２０体積％の範囲にあり、前記低濃度領域での前記第２蛍光体の濃度は、０．０１〜１０体積％の範囲にあることを特徴とする請求項２１から２７のいずれかに記載の灯具。
【請求項２９】
前記光波長変換部材は、前記第１蛍光体を含有する第１蛍光体含有層と、前記第２蛍光体を含有する第２蛍光体含有層と、を備え、前記第２蛍光体含有層は、前記第１蛍光体含有層に対し前記発光素子とは反対側に配置され、  前記第１蛍光体含有層は、少なくとも１つの第１低濃度領域と、前記光波長変換部材の厚さ方向に垂直な面内において前記少なくとも１つの第１低濃度領域に比べて前記発光素子から離れて位置する少なくとも１つの第１高濃度領域と、を備え、  前記第２蛍光体含有層は、少なくとも１つの第２低濃度領域と、前記光波長変換部材の厚さ方向に垂直な面内において前記少なくとも１つの第２低濃度領域に比べて前記発光素子から離れて位置する少なくとも１つの第２高濃度領域と、を備え、  前記第１高濃度領域での前記第１蛍光体の濃度が前記第１低濃度領域での前記第１蛍光体の濃度より高く、前記第２高濃度領域での前記第２蛍光体の濃度が前記第２低濃度領域での前記第２蛍光体の濃度より高いことを特徴とする請求項２１から２８のいずれかに記載の灯具。
【請求項３０】
前記第１高濃度領域は、前記光波長変換部材の厚さ方向に垂直な面内において前記第２高濃度領域と少なくとも部分的に重なり合い、前記第１低濃度領域は、前記光波長変換部材の厚さ方向に垂直な面内において前記第２低濃度領域と少なくとも部分的に重なり合っていることを特徴とする請求項２９に記載の灯具。
【請求項３１】
前記光波長変換部材は、外部から視認可能に配置されかつ前記発光素子の点灯により所定色で発光する白色表面を備えることを特徴とする請求項２１から３０のいずれかに記載の灯具。
【請求項３２】
前記光波長変換部材は、  前記発光素子から離間して配置され前記発光素子側を向く内面と、前記発光素子とは反対側を向く外面とを有する透明支持部材と、  前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体の両方を含有し、前記第２蛍光体の母体色が白色である混合蛍光体含有層と、を備えることを特徴とする請求項１に記載の灯具。
【請求項３３】
前記光波長変換部材は、前記紫外線又は短波長可視光により励起され、第１ドミナント波長及び第２ドミナント波長と異なる第３ドミナント波長を有する第３変換光を発する第３蛍光体を備えることを特徴とする請求項２から３２のいずれかに記載の灯具。
【発明の詳細な説明】
【技術分野】
【０００１】  本発明は、灯具、例えば、車両用灯具に関する。
【背景技術】
【０００２】  発光素子と、当該発光素子が発生する光により励起され当該発光素子とは異なる波長域の光を発生する光波長変換部材とを組み合わせることにより、所望の色の光を得るように構成された灯具が知られている。そのような灯具の一例として、ライン状に配列された複数の発光素子と、複数の発光素子から離間して配置されたライン状の光波長変換部材とを備える車両用灯具が知られている（例えば、特許文献１参照）。
【先行技術文献】
【特許文献】
【０００３】
【特許文献１】国際公開第２０１６／００６６９８号
【発明の概要】
【発明が解決しようとする課題】
【０００４】  発光素子から光波長変換部材を離間配置する方式はリモートフォスファーとも呼ばれる。リモートフォスファー方式の灯具には、均一な明るさで広い面積の面発光を実現しやすく、光波長変換部材が発光素子の発熱の影響を受けにくいといった利点があり、近年注目されている。【０００５】  既存のリモートフォスファー方式の灯具は一般に、光波長変換部材の発光面が光波長変換部材の材料自体に起因して非白色である。例えば、白色発光の灯具は通例、青色発光の発光素子と青色光を黄色光に波長変換する蛍光体を組み合わせて構成され、この蛍光体自身の色も黄色である。他の所望色に発光する灯具についても大抵、蛍光体自身が有色である。【０００６】  灯具の意匠は、その灯具の商品性、すなわち消費者への訴求力を左右する重要な特質のひとつである。リモートフォスファー方式の灯具では典型的に、光波長変換部材の発光面が灯具の外から見え、かつ比較的大きな面積を占める。そのため、灯具の非点灯時にはとりわけ、光波長変換部材の材料自体に起因する非白色の領域が、灯具の意匠上無用の存在感を放ち、見映えを損ね、灯具の商品性を低下させうる。【０００７】  そうした非白色領域を覆い隠す追加の部材を導入すれば灯具の外から見えにくくすることは可能である。しかし、そうした追加部材は、当該灯具の発光効率を低下させうる。光波長変換部材から発せられた光の一部が追加部材に吸収されうるから、追加部材の導入は、灯具の明るさを低減するか、あるいは同じ明るさを保つために灯具の消費電力を増加するといった不利益をもたらしうる。また、部材の追加は灯具構造の複雑化や製造コスト上昇を招きうる。【０００８】  本発明はこうした状況に鑑みてなされたものであり、その目的は、比較的簡素な構成で非点灯時の見映えのよい灯具を提供することにある。
【課題を解決するための手段】
【０００９】  上記課題を解決するために、本発明のある態様の灯具は、紫外線又は短波長可視光を発する発光素子と、発光素子から離間して配置された光波長変換部材であって、外部から視認可能に配置された白色表面を備える光波長変換部材と、を備え、光波長変換部材は、発光素子の点灯により白色表面を所定色で発光させるために複数種類の蛍光体を有し、少なくとも一種の蛍光体の母体色が白色である。
【発明の効果】
【００１０】  本発明によれば、比較的簡素な構成で非点灯時の見映えのよい灯具を提供することができる。
【図面の簡単な説明】
【００１１】
【図１】実施の形態１に係る灯具の一例を説明するための図である。
【図２】実施の形態１に係る灯具に関し、光波長変換部材の厚さと発光特性（全光束比）の関係を例示する図である。
【図３】図３（ａ）から図３（ｃ）は、実施の形態１に係る灯具の他の例を説明するための図である。
【図４】実施の形態１に係る灯具に関し、光波長変換部材の反射率を例示する図である。
【図５】図５（ａ）及び図５（ｂ）は、実施の形態１に係る灯具の他の例を説明するための図である。
【図６】図６（ａ）及び図６（ｂ）は、実施の形態２に係る灯具の例を説明するための図である。
【図７】図７（ａ）から図７（ｃ）は、実施の形態２に係る灯具の他の例を説明するための図である。
【図８】実施の形態２に係る灯具の他の例を説明するための図である。
【図９】図９（ａ）から図９（ｄ）は、実施の形態２に係る灯具の他の例を説明するための図である。
【図１０】実施の形態２に係る灯具の他の例を説明するための図である。
【図１１】図１１（ａ）から図１１（ｃ）は、実施の形態３に係る灯具の例を説明するための図である。
【図１２】実施の形態３に係る灯具に関し、蛍光体粒子の粒径分布を例示する図である。
【図１３】実施の形態４に係る灯具の一例を説明するための図である。
【図１４】図１４（ａ）及び図１４（ｂ）は、実施の形態４に係る灯具に用いられる光波長変換部材の例を説明するための図である。
【図１５】図１５（ａ）及び図１５（ｂ）は、実施の形態５に係る灯具の例を説明するための図である。
【発明を実施するための形態】
【００１２】  以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。各図面に示される同一または同等の構成要素、部材、処理には、同一の符号を付するものとし、適宜重複した説明は省略する。また、各図に示す各部の縮尺や形状は、説明を容易にするために便宜的に設定されており、特に言及がない限り限定的に解釈されるものではない。また、本明細書または請求項中に用いられる「第１」、「第２」等の用語は、いかなる順序や重要度を表すものでもなく、ある構成と他の構成とを区別するためのものである。
【００１３】  本発明のある態様の灯具は、励起光として例えば紫外線又は短波長可視光を発する発光素子と、発光素子から離間して配置された光波長変換部材と、を備える。光波長変換部材は外部から視認可能に配置された白色表面を備える。また、光波長変換部材は、発光素子の点灯により白色表面を所定色で発光させるために複数種類の蛍光体を有する。少なくとも一種の蛍光体の母体色が白色であり、他の少なくとも一種の蛍光体の母体色が有色すなわち非白色である。
【００１４】  光波長変換部材は母体色が白色の蛍光体を有するので、白色表面は、母体色が有色である他の蛍光体に比べて、より白色である。光波長変換部材の外観を白色化することができ、それにより、非点灯時における灯具の見映えをよくすることができる。また、灯具は光波長変換部材が発光素子から離間して配置されたリモートフォスファー方式で構成されているから、灯具の点灯時には、より均一な輝度及び／またはより均一な色で比較的広い面積を照らす面発光を実現することができる。
【００１５】  本発明のある態様の灯具は、紫外線又は短波長可視光を発する発光素子と、発光素子から離間して配置された光波長変換部材と、を備える。光波長変換部材は、紫外線又は短波長可視光により励起され、第１ドミナント波長を有する第１変換光を発する第１蛍光体を含有する第１蛍光体含有シートと、紫外線又は短波長可視光により励起され、第１ドミナント波長より短い第２ドミナント波長を有する第２変換光を発する第２蛍光体を含有し、第２蛍光体の母体色が白色である第２蛍光体含有シートと、外部から視認可能に配置され、発光素子の点灯により所定色で発光する白色表面と、を備える。
【００１６】  この態様によると、灯具の外から視認可能な光波長変換部材の発光面が白色表面となっている。白色の外観が望まれる用途は実用上多い。灯具の非点灯時にはこの白色表面が灯具外から視認されることとなる。そのため、非点灯時に光波長変換部材の有色表面が目立つ従来典型的な灯具に比べて、灯具の見映えをよくすることができる。また、光波長変換部材を覆い隠す追加部材が必須ではないので、そうした追加部材を採用する場合に比べて、灯具の構成が簡素である。
【００１７】  第２蛍光体含有シートは、第１蛍光体含有シートの外側に配置され、第２蛍光体含有シートが白色表面を形成してもよい。又は、光波長変換部材は、第２蛍光体含有シートの外側に配置され、白色の拡散材を含有する拡散材含有シートを備え、拡散材含有シートが白色表面を形成してもよい。
【００１８】  本発明の別の態様もまた、灯具である。この灯具は、紫外線又は短波長可視光を発する発光素子と、発光素子から離間して配置された光波長変換部材と、を備える。光波長変換部材は、紫外線又は短波長可視光により励起され、第１ドミナント波長を有する第１変換光を発する第１蛍光体と、紫外線又は短波長可視光により励起され、第１ドミナント波長より短い第２ドミナント波長を有する第２変換光を発する第２蛍光体の両方を含有し、第２蛍光体の母体色が白色である混合蛍光体含有シートと、外部から視認可能に配置され、発光素子の点灯により所定色で発光する白色表面と、を備える。
【００１９】  この態様によると、灯具の外から視認可能な光波長変換部材の発光面が白色表面となっている。白色の外観が望まれる用途は実用上多い。灯具の非点灯時にはこの白色表面が灯具外から視認されることとなる。そのため、非点灯時に光波長変換部材の有色表面が目立つ従来典型的な灯具に比べて、灯具の見映えをよくすることができる。また、光波長変換部材を覆い隠す追加部材が必須ではないので、そうした追加部材を採用する場合に比べて、灯具の構成が簡素である。
【００２０】  混合蛍光体含有シートが白色表面を形成してもよい。又は、光波長変換部材は、混合蛍光体含有シートの外側に配置され、白色の拡散材を含有する拡散材含有シートを備え、拡散材含有シートが白色表面を形成してもよい。
【００２１】  光波長変換部材の厚さは、０．１〜２０ｍｍの範囲にあってもよい。
【００２２】  光波長変換部材における第１蛍光体の濃度は、０．１〜２０体積％の範囲にあってもよい。光波長変換部材における第２蛍光体の濃度は、０．１〜２０体積％の範囲にあってもよい。
【００２３】  本発明のある態様の灯具は、紫外線又は短波長可視光を発する発光素子と、紫外線又は短波長可視光により励起され、第１ドミナント波長を有する第１変換光を発する第１蛍光体を含有する第１蛍光体含有層と、発光素子から離間して配置された光波長変換部材と、を備える。光波長変換部材は、紫外線又は短波長可視光により励起され、第１ドミナント波長より短い第２ドミナント波長を有する第２変換光を発する第２蛍光体を含有し、第２蛍光体の母体色が白色である第２蛍光体含有層と、外部から視認可能に配置され、発光素子の点灯により所定色で発光する白色表面と、を備える。
【００２４】  この態様によると、灯具の外から視認可能な光波長変換部材の発光面が白色表面となっている。白色の外観が望まれる用途は実用上多い。灯具の非点灯時にはこの白色表面が灯具外から視認されることとなる。そのため、非点灯時に光波長変換部材の有色表面が目立つ従来典型的な灯具に比べて、灯具の見映えをよくすることができる。また、光波長変換部材を覆い隠す追加部材が必須ではないので、そうした追加部材を採用する場合に比べて、灯具の構成が簡素である。
【００２５】  光波長変換部材は、少なくとも第２蛍光体含有層を支持する透明支持部材を備え、透明支持部材は、発光素子から離間して配置され発光素子側を向く内面を有してもよい。第２蛍光体含有層が、透明支持部材の内面と第１蛍光体含有層との間に配置されていてもよい。
【００２６】  透明支持部材は、発光素子とは反対側を向く外面を有してもよい。透明支持部材の外面は、光波長変換部材から出射する出射光の出射方向を制御するよう光学設計された光学形状を備えてもよい。
【００２７】  光波長変換部材は、少なくとも第２蛍光体含有層を支持する透明支持部材を備え、透明支持部材は、発光素子から離間して配置され発光素子側を向く内面と、発光素子とは反対側を向く外面とを有してもよい。第２蛍光体含有層は、透明支持部材の外面の外側に配置され、第１蛍光体含有層は、透明支持部材の外面と第２蛍光体含有層との間に、又は、透明支持部材の内面と発光素子との間に配置されていてもよい。
【００２８】  透明支持部材の内面は、光波長変換部材の発光面の輝度分布を制御するよう光学設計された光学形状を備えてもよい。
【００２９】  第２蛍光体含有層は、基材と基材に分散した第２蛍光体粒子とを備える第２蛍光体含有シートとして形成されていてもよい。
【００３０】  第１蛍光体含有層は、第２蛍光体含有シート上に形成され、又は、第２蛍光体含有シートと発光素子との間に配置され、又は、発光素子の発光面を被覆していてもよい。
【００３１】  第２蛍光体含有層が白色表面を形成してもよい。
【００３２】  本発明のある態様の灯具は、紫外線又は短波長可視光を発する発光素子と、発光素子から離間して配置された光波長変換部材と、を備える。光波長変換部材は、紫外線又は短波長可視光により励起され、第１ドミナント波長を有する第１変換光を発する第１蛍光体粒子を含有する第１蛍光体含有層と、紫外線又は短波長可視光により励起され、第１ドミナント波長より短い第２ドミナント波長を有する第２変換光を発する第２蛍光体粒子を含有し、第２蛍光体粒子の母体色が白色である第２蛍光体含有層と、を備える。第２蛍光体含有層は、第１蛍光体含有層に対し発光素子とは反対側に配置されており、第２蛍光体粒子の粒径が、第１蛍光体粒子の粒径より小さい。
【００３３】  この態様によると、第２蛍光体粒子の母体色が白色であり、第２蛍光体含有層は、第１蛍光体含有層に対し発光素子とは反対側に配置されており、第２蛍光体粒子の粒径が、第１蛍光体粒子の粒径より小さい。そのため、灯具の外から視認可能な光波長変換部材の発光面が比較的白く見える。白色の外観が望まれる用途は実用上多い。非点灯時に光波長変換部材の有色表面が目立つ従来典型的な灯具に比べて、灯具の見映えをよくすることができる。また、光波長変換部材を覆い隠す追加部材が必須ではないので、そうした追加部材を採用する場合に比べて、灯具の構成が簡素である。
【００３４】  第１蛍光体含有層は、基材と基材に分散した第１蛍光体粒子とを備える第１蛍光体含有シートとして形成され、第２蛍光体含有層は、基材と基材に分散した第２蛍光体粒子とを備える第２蛍光体含有シートとして形成されていてもよい。
【００３５】  光波長変換部材は、第１蛍光体含有層と第２蛍光体含有層とを備える単一の蛍光体含有シートを備えてもよい。
【００３６】  光波長変換部材は、第１蛍光体含有層と第２蛍光体含有層とを支持する透明支持部材を備えてもよい。
【００３７】  第２蛍光体含有層は、外部から視認可能に配置されかつ発光素子の点灯により所定色で発光する白色表面を備えてもよい。
【００３８】  本発明のある態様の灯具は、紫外線又は短波長可視光を発する少なくとも１つの発光素子と、少なくとも１つの発光素子から離間して配置された光波長変換部材であって、紫外線又は短波長可視光により励起され、第１ドミナント波長を有する第１変換光を発する第１蛍光体と、紫外線又は短波長可視光により励起され、第１ドミナント波長より短い第２ドミナント波長を有する第２変換光を発する第２蛍光体とを含有し、第２蛍光体の母体色が白色である光波長変換部材と、を備える。光波長変換部材は、少なくとも１つの低濃度領域と、光波長変換部材の厚さ方向に垂直な面内において少なくとも１つの低濃度領域に比べて発光素子から離れて位置する少なくとも１つの高濃度領域と、を備える。高濃度領域での第１蛍光体の濃度が低濃度領域での第１蛍光体の濃度より高く、及び／または、高濃度領域での第２蛍光体の濃度が低濃度領域での第２蛍光体の濃度より高い。
【００３９】  この態様によると、第２蛍光体粒子の母体色が白色であるので、灯具の外から視認可能な光波長変換部材の発光面が比較的白く見える。白色の外観が望まれる用途は実用上多い。非点灯時に光波長変換部材の有色表面が目立つ従来典型的な灯具に比べて、灯具の見映えをよくすることができる。また、光波長変換部材の厚さ方向に垂直な面内において蛍光体の濃度を局所的に濃く、または薄くすることによって、当該面内における明るさのムラを低減することも可能となる。さらに、光波長変換部材を覆い隠す追加部材が必須ではないので、そうした追加部材を採用する場合に比べて、灯具の構成が簡素である。
【００４０】  少なくとも１つの低濃度領域は、発光素子の直上に位置する低濃度領域を含み、少なくとも１つの高濃度領域は、発光素子の直上に位置する低濃度領域の周囲に位置する高濃度領域を含んでもよい。
【００４１】  灯具は、複数の発光素子を備えてもよい。少なくとも１つの低濃度領域は、対応する発光素子の直上に各々が位置する複数の低濃度領域を含んでもよい。少なくとも１つの高濃度領域は、隣接する発光素子間の直上に各々が位置する複数の高濃度領域を含んでもよい。
【００４２】  少なくとも１つの高濃度領域は、光波長変換部材の外周の少なくとも一部に沿って延在する高濃度領域を含んでもよい。
【００４３】  光波長変換部材の外周の少なくとも一部に沿って延在する高濃度領域は、光波長変換部材の外周の全体に沿って延在してもよい。
【００４４】  光波長変換部材の外周の少なくとも一部に沿って延在する高濃度領域の内周は、光波長変換部材の外周から１〜５ｍｍの範囲にあってもよい。
【００４５】  高濃度領域での第１蛍光体の濃度は、０．１〜２０体積％の範囲にあり、低濃度領域での第１蛍光体の濃度は、０．０１〜１０体積％の範囲にあってもよい。
【００４６】  高濃度領域での第２蛍光体の濃度は、０．１〜２０体積％の範囲にあり、低濃度領域での第２蛍光体の濃度は、０．０１〜１０体積％の範囲にあってもよい。
【００４７】  光波長変換部材は、第１蛍光体を含有する第１蛍光体含有層と、第２蛍光体を含有する第２蛍光体含有層と、を備え、第２蛍光体含有層は、第１蛍光体含有層に対し発光素子とは反対側に配置され、第１蛍光体含有層は、少なくとも１つの第１低濃度領域と、光波長変換部材の厚さ方向に垂直な面内において少なくとも１つの第１低濃度領域に比べて発光素子から離れて位置する少なくとも１つの第１高濃度領域と、を備えてもよい。第２蛍光体含有層は、少なくとも１つの第２低濃度領域と、光波長変換部材の厚さ方向に垂直な面内において少なくとも１つの第２低濃度領域に比べて発光素子から離れて位置する少なくとも１つの第２高濃度領域と、を備えてもよい。第１高濃度領域での第１蛍光体の濃度が第１低濃度領域での第１蛍光体の濃度より高く、第２高濃度領域での第２蛍光体の濃度が第２低濃度領域での第２蛍光体の濃度より高くてもよい。
【００４８】  第１高濃度領域は、光波長変換部材の厚さ方向に垂直な面内において第２高濃度領域と少なくとも部分的に重なり合い、第１低濃度領域は、光波長変換部材の厚さ方向に垂直な面内において第２低濃度領域と少なくとも部分的に重なり合っていてもよい。
【００４９】  光波長変換部材は、外部から視認可能に配置されかつ発光素子の点灯により所定色で発光する白色表面を備えてもよい。
【００５０】  光波長変換部材は、発光素子から離間して配置され発光素子側を向く内面と、発光素子とは反対側を向く外面とを有する透明支持部材と、紫外線又は短波長可視光により励起され、第１ドミナント波長を有する第１変換光を発する第１蛍光体と、紫外線又は短波長可視光により励起され、第１ドミナント波長より短い第２ドミナント波長を有する第２変換光を発する第２蛍光体の両方を含有し、第２蛍光体の母体色が白色である混合蛍光体含有層と、を備えてもよい。
【００５１】  光波長変換部材は、紫外線又は短波長可視光により励起され、第１ドミナント波長及び第２ドミナント波長と異なる第３ドミナント波長を有する第３変換光を発する第３蛍光体を備えてもよい。
【００５２】（実施の形態１）  図１は、実施の形態１に係る灯具の一例を説明するための図である。図１に示される灯具１００は、自動車などの車両への搭載に適する車両用灯具であり、例えばデイタイムランニングランプまたはクリアランスランプといった標識灯として使用されることができる。
【００５３】  灯具１００は、前方に開口された凹部を有するランプボディ１０２と、ランプボディ１０２の開口を閉塞する透光カバー１０４とを備える。透光カバー１０４は、アウターレンズその他の光学部材又は透光部材であってもよい。ランプボディ１２と透光カバー１０４とによって灯具筐体１０６が構成され、灯具筐体１０６の内部空間が灯室１０８として形成されている。
【００５４】  灯具１００は、灯室１０８に収容された発光モジュール１１０をさらに備える。発光モジュール１１０は、発光素子１１２、光波長変換部材１１４、及び支持構造１１６を備える。発光モジュール１１０は、発光素子１１２から光波長変換部材１１４が離間して配置されたリモートフォスファー方式で構成されている。発光素子１１２の発光面は光波長変換部材１１４に露出されている。
【００５５】  発光素子１１２は、励起光１１８を発するよう構成され、光波長変換部材１１４の励起光源として設けられている。発光素子１１２が発する励起光１１８は、紫外線又は短波長可視光（例えば紫色光）を含む光であり、又は、紫外線又は短波長可視光からなる光である。発光素子１１２のピーク波長、つまり励起光波長は、例えば３８０〜４３０ｎｍの範囲から選択される。発光素子１１２は励起光１１８として紫色光を発することになる。また、発光素子１１２のピーク波長は、３８０ｎｍ以下、好ましくは３５０〜３８０ｎｍの範囲から選択されてもよい。この場合、発光素子１１２は励起光１１８として紫外光を発することになる。発光素子１１２は、例えばＬＥＤ素子またはその他の半導体発光素子である。
【００５６】  光波長変換部材１１４の内面（または一方の主表面）が発光素子１１２側を向き、光波長変換部材１１４の外面（または他方の主表面）が透光カバー１０４側を向いている。よって、光波長変換部材１１４の外面は灯具１００の外部から視認可能である。人が灯具１００を見るとき、透光カバー１０４の背後に光波長変換部材１１４の外面が見えることになる。
【００５７】  光波長変換部材１１４は発光素子１１２が発する励起光１１８を受けると励起され、励起光１１８を波長変換した変換光を光波長変換部材１１４の外面から発する。光波長変換部材１１４の外面は光波長変換部材１１４の発光面とも言える。灯具１００が発する照明光１２０は、光波長変換部材１１４の発光面から発せられる変換光を含み、又は、励起光１１８及び変換光を含む。
【００５８】  光波長変換部材１１４は、第１蛍光体含有シート１２２と、第２蛍光体含有シート１２４と、白色表面１２６とを備える。光波長変換部材１１４は、第１蛍光体含有シート１２２と第２蛍光体含有シート１２４の二層で形成されている。図１に示される実施の形態では、光波長変換部材１１４は、他の層をさらに含みうるが、その場合でも、第２蛍光体含有シート１２４が光波長変換部材１１４の最外層に配置される。第１蛍光体含有シート１２２、第２蛍光体含有シート１２４、及び白色表面１２６の詳細は後述する。
【００５９】  支持構造１１６は、発光素子１１２及び光波長変換部材１１４が所定の離間配置をとるように発光素子１１２及び光波長変換部材１１４を支持する。支持構造１１６は、例えば、発光素子１１２の収容室を形成する容器状の形状を有する。この容器形状の開口部に蓋をするように光波長変換部材１１４が支持構造１１６に取り付けられている。支持構造１１６は、例えば金属またはその他の適する材料で形成されている。ただし、支持構造１１６の構成は、これに限られず、その他の形状及び材料を有してもよい。
【００６０】  支持構造１１６の内表面は、発光素子１１２が発する励起光１１８を光波長変換部材１１４に向けるための反射面１１７を有してもよい。反射面１１７は、例えば、白色面又は金属鏡面といった高反射率の表面であってもよい。発光素子１１２から発せられる光の大部分または全てが光波長変換部材１１４に向かうように、支持構造１１６が構成されていてもよい。
【００６１】  第１蛍光体含有シート１２２は、第１蛍光体を含有する。第１蛍光体含有シート１２２は、例えば、透明又は白色のシリコーン樹脂などの基材に第１蛍光体の粒子が分散されたシート状の蛍光体成形体として形成されている。第１蛍光体粒子の粒径の範囲は例えば１５〜５０μｍである。第１蛍光体含有シート１２２の内面（または一方の主表面）が発光素子１１２側を向き、第１蛍光体含有シート１２２の外面（または他方の主表面）が透光カバー１０４側を向いている。第１蛍光体含有シート１２２の内面は、発光素子１１２に露出されている。
【００６２】  第１蛍光体は、励起光１１８により励起され、第１ドミナント波長を有する第１変換光を発する。第１蛍光体は励起光１１８を受け第１発光色を呈する。第１ドミナント波長は、例えば５６０〜６００ｎｍの範囲にある。この場合、第１変換光は黄色光であり、第１蛍光体は紫外線又は短波長可視光（例えば紫色光）を黄色光に波長変換することができる黄色発光蛍光体である。
【００６３】  一例として、第１蛍光体は、一般式がＭ１Ｏ２・ａＭ２Ｏ・ｂＭ３Ｘ２：Ｍ４ｃ（但し、Ｍ１はＳｉ、Ｇｅ、Ｔｉ、Ｚｒ及びＳｎからなる群より選ばれる少なくとも１種の元素、Ｍ２はＭｇ、Ｃａ、Ｓｒ、Ｂａ及びＺｎからなる群より選ばれる少なくとも１種の元素、Ｍ３はＭｇ、Ｃａ、Ｓｒ、Ｂａ及びＺｎからなる群より選ばれる少なくとも１種の元素、Ｘは少なくとも１種のハロゲン元素、Ｍ４は希土類元素及びＭｎからなる群より選ばれるＥｕ２＋を必須とする少なくとも１種の元素を示す。ａは０．１≦ａ≦１．３、ｂは０．１≦ｂ≦０．２５の範囲である。）で表される黄色発光蛍光体であってもよい。
【００６４】  なお、上述の黄色発光蛍光体として、より好ましい態様は、一般式で表すと次のようになる。  （Ｃａ１−ｘ，Ｓｒｘ）７（ＳｉＯ３）６Ｃｌ２：Ｅｕ２＋（ここで、０＜ｘ＜１である。）
【００６５】  また、第２蛍光体含有シート１２４は、第１蛍光体とは異なる第２蛍光体を含有する。第２蛍光体粒子の粒径の範囲は例えば１５〜５０μｍである。第２蛍光体含有シート１２４は、例えば、透明又は白色の透明シリコーン樹脂などの基材に第２蛍光体の粒子が分散されたシート状の蛍光体成形体として形成されている。
【００６６】  第２蛍光体含有シート１２４の内面（または一方の主表面）が発光素子１１２側を向き、第２蛍光体含有シート１２４の外面（または他方の主表面）が透光カバー１０４側を向いている。第２蛍光体含有シート１２４は、第１蛍光体含有シート１２２に対し発光素子１１２とは反対側に配置されている。第２蛍光体含有シート１２４の内面は、第１蛍光体含有シート１２２の外面と接触している。あるいは、第２蛍光体含有シート１２４の内面は第１蛍光体含有シート１２２の外面と接着され、第１蛍光体含有シート１２２と第２蛍光体含有シート１２４が一体的なシート状の光波長変換部材１１４を形成してもよい。
【００６７】  第２蛍光体は、励起光１１８により励起され、第１ドミナント波長より短い第２ドミナント波長を有する第２変換光を発する。第２蛍光体は励起光１１８を受け第１発光色と異なる第２発光色を呈する。第２ドミナント波長は、例えば４３０〜４７０ｎｍの範囲にある。この場合、第２変換光は青色光であり、第２蛍光体は紫外線又は短波長可視光（例えば紫色光）を青色光に波長変換することができる青色発光蛍光体である。
【００６８】  一例として、第２蛍光体は、アパタイト蛍光体であってもよい。第２蛍光体は、例えば、一般式（Ｃａ５−ｘ−ｙ，Ｍｇｘ）（ＰＯ４）３Ｃｌ：Ｅｕ２＋ｙで表されるＣａアパタイト蛍光体、一般式（Ｓｒ５−ｙ）（ＰＯ４）３Ｃｌ：Ｅｕ２＋ｙで表されるＳｒアパタイト蛍光体、又は、一般式（Ｃａ５−ｘ−ｙ，Ｓｒｘ）（ＰＯ４）３Ｃｌ：Ｅｕ２＋ｙで表されるＣａＳｒアパタイト蛍光体であってもよい。
【００６９】  第１蛍光体は、ボディカラーが有色（黄色）である。ここで、ボディカラー（母体色とも呼ばれる）とは、励起光１１８を受けていない状況での蛍光体の素材そのものの色をいう。したがって、第１蛍光体含有シート１２２の表面は、有色（黄色）である。第１蛍光体とは異なり、第２蛍光体は、ボディカラーが白色であり、第２蛍光体含有シート１２４の表面は、白色である。
【００７０】  第２蛍光体含有シート１２４は、第１蛍光体含有シート１２２の外側に配置され、第２蛍光体含有シート１２４が白色表面１２６を形成している。言い換えれば、発光素子１１２から灯具１００の外へと向かって、第１蛍光体含有シート１２２、第２蛍光体含有シート１２４、白色表面１２６の順に配置され、第２蛍光体含有シート１２４の外面すなわち光波長変換部材１１４の外面が白色表面１２６にあたる。白色表面１２６は、第１蛍光体含有シート１２２の表面の色に比べて、より白色である。
【００７１】  白色表面１２６は、灯具１００の外部から視認可能に配置され、発光素子１１２の点灯により所定色（例えば白色）で発光する。白色表面１２６が光波長変換部材１１４の発光面となる。白色表面１２６の発光色（すなわち照明光１２０の色）は、光波長変換部材１１４が発する変換光の色によって、又は、変換光と励起光１１８との混合光の色によって決まる。
【００７２】  上述の例では、発光素子１１２が発する励起光１１８が光波長変換部材１１４に入射するとき、第１蛍光体含有シート１２２の第１蛍光体によって励起光１１８が黄色光に波長変換され、第２蛍光体含有シート１２４の第２蛍光体によって励起光１１８が青色光に波長変換される。したがって、黄色光と青色光を混合して得られる白色光が照明光１２０として白色表面１２６から出射される。
【００７３】  このように、光波長変換部材１１４は、発光素子１１２の点灯により白色表面１２６を所定色（例えば白色）で発光させるために複数種類の蛍光体を有し、第１蛍光体の母体色が非白色であり、第２蛍光体の母体色が白色である。
【００７４】  光波長変換部材１１４の厚さ１２８は、０．１〜２０ｍｍの範囲から選択されることが好ましい。より好ましくは、光波長変換部材１１４の厚さ１２８は、０．３〜８ｍｍの範囲から、又は０．５〜５ｍｍの範囲から選択されてもよい。光波長変換部材１１４の厚さ１２８は、図１に示されるように、光波長変換部材１１４の表面に垂直な方向（または、発光素子１１２の光軸の方向でもよい）の寸法をいう。図１に示される実施の形態では、光波長変換部材１１４の厚さ１２８は、第１蛍光体含有シート１２２と第２蛍光体含有シート１２４の厚さの合計にあたる。
【００７５】  光波長変換部材１１４の厚さ１２８が０．１ｍｍ（又は０．３ｍｍ、又は０．５ｍｍ）を下回ると、含有される蛍光体の量が過剰に少なくなり、十分な光量で変換光を得られないおそれがある。また、このように厚さ１２８が薄い場合には、光波長変換部材１１４が過剰に変形しやすく、形状保持が難しくなりうる。一方、光波長変換部材１１４の厚さ１２８が２０ｍｍ（又は８ｍｍ、又は５ｍｍ）を上回ると、光波長変換部材１１４を透過できる光量が過剰に少なくなり、灯具１００の発光効率が実用上不十分となりうる。
【００７６】  図２は、実施の形態１に係る灯具に関し、光波長変換部材１１４の厚さ１２８と発光特性（全光束比）の関係を例示する図である。図示されるのは、蛍光体含有シート中の蛍光体量を一定としてシート厚さを変化させたときの発光特性（全光束比）の測定結果である。この例では、図から理解されるように、光波長変換部材１１４の厚さ１２８が小さいほど発光特性（全光束比）が良好である。光波長変換部材１１４の厚さ１２８が５ｍｍ以下で発光特性（全光束比）はほぼ１であり、光波長変換部材１１４の厚さ１２８がおよそ５ｍｍを超えて増加すると発光特性が徐々に低下する。光波長変換部材１１４の厚さ１２８が８ｍｍ以下であれば発光特性（全光束比）が約０．９を上回る。また、光波長変換部材１１４の厚さ１２８が２０ｍｍ以下であれば発光特性（全光束比）が約０．７５を上回る。
【００７７】  また、光波長変換部材１１４における第１蛍光体の濃度は、０．１〜２０体積％の範囲から、又は０．５〜１０体積％の範囲から選択されることが好ましい。光波長変換部材１１４における第２蛍光体の濃度は、０．１〜２０体積％の範囲から、又は０．５〜１０体積％の範囲から選択されることが好ましい。図１に示される実施の形態では、第１蛍光体含有シート１２２における第１蛍光体の濃度が０．１〜２０体積％の範囲から、又は０．５〜１０体積％の範囲から選択され、第２蛍光体含有シート１２４における第２蛍光体の濃度が０．１〜２０体積％の範囲から、又は０．５〜１０体積％の範囲から選択されることが好ましい。なお、図１に示される実施の形態では、第１蛍光体含有シート１２２における第１蛍光体の濃度は一様であり、第２蛍光体含有シート１２４における第２蛍光体の濃度は一様である。
【００７８】  第１蛍光体の濃度が０．１体積％（又は０．５体積％）を下回ると、含有される蛍光体の量が過剰に少なくなり、十分な光量で変換光を得られないおそれがある。第１蛍光体の濃度が２０体積％（又は１０体積％）を上回ると、蛍光体の粒子が光の透過を妨げ、光波長変換部材１１４を透過できる光量が過剰に少なくなり、灯具１００の発光効率が実用上不十分となりうる。第２蛍光体についても同様である。
【００７９】  実施の形態１に係る灯具１００においては、光波長変換部材１１４が複数種類の蛍光体を含有し、少なくとも一種の蛍光体の母体色が白色である。それにより、光波長変換部材１１４は灯具１００の外部から視認可能な白色表面１２６を有する。そのため、灯具１００の非点灯時には白色表面１２６が灯具外から視認されることとなる。したがって、実施の形態１に係る灯具１００によれば、光波長変換部材の有色表面が目立つ従来典型的な灯具に比べて、非点灯時における灯具１００の見映えをよくすることができる。
【００８０】  より具体的には、光波長変換部材１１４は、母体色が白色である第２蛍光体を含有する第２蛍光体含有シート１２４を備え、第２蛍光体含有シート１２４が第１蛍光体含有シート１２２の外側に配置され、第２蛍光体含有シート１２４が白色表面１２６を形成している。
【００８１】  このようにすれば、第１蛍光体が有色であったとしても、第１蛍光体含有シート１２２を第２蛍光体含有シート１２４で覆い隠すことができる。光波長変換部材１１４の外観を白色化することができ、それにより、非点灯時における灯具１００の見映えをよくすることができる。また、第１蛍光体含有シート１２２を隠すために第２蛍光体含有シート１２４を利用しているので、第１蛍光体含有シート１２２を隠すための専用の部材を灯具１００に追加する必要がない。したがって、実施の形態１に係る灯具１００によれば、そうした追加部材を採用する場合に比べて、灯具１００の構成を簡素にすることができる。
【００８２】  また、灯具１００はリモートフォスファー方式で構成されているから、灯具１００の点灯時には、より均一な輝度及び／またはより均一な色で比較的広い面積を照らす面発光を実現することができる。
【００８３】  図３（ａ）、図３（ｂ）、及び図３（ｃ）は、実施の形態１に係る灯具の他の例を説明するための図である。図３（ａ）に示される灯具１００においては、光波長変換部材１１４は、混合蛍光体含有シート１３０を備える。すなわち、光波長変換部材１１４は、単一層のシート状部材として形成されている。
【００８４】  混合蛍光体含有シート１３０は、第１蛍光体と第２蛍光体の両方を含有する。混合蛍光体含有シート１３０は、例えば、透明又は白色のシリコーン樹脂などの基材に第１蛍光体の粒子及び第２蛍光体の粒子が分散されたシート状の蛍光体成形体として形成されている。混合蛍光体含有シート１３０の内面（または一方の主表面）が発光素子１１２側を向き、混合蛍光体含有シート１３０の外面（または他方の主表面）が透光カバー１０４側を向いている。
【００８５】  混合蛍光体含有シート１３０が白色表面１２６を形成している。混合蛍光体含有シート１３０の外面すなわち光波長変換部材１１４が白色表面１２６にあたる。例えば、第１蛍光体の母体色が淡色である場合や、第１蛍光体の濃度が比較的小さい場合などには、混合蛍光体含有シート１３０の表面は実用上十分に白色であるとみなすことができる。
【００８６】  図１に示される実施の形態と同様に、光波長変換部材１１４（すなわち混合蛍光体含有シート１３０）の厚さ１２８は、０．１〜２０ｍｍの範囲から、より好ましくは、０．３〜８ｍｍの範囲から、又は０．５〜５ｍｍの範囲から選択されてもよい。混合蛍光体含有シート１３０における第１蛍光体の濃度は、０．１〜２０体積％の範囲から、又は０．５〜１０体積％の範囲から選択され、混合蛍光体含有シート１３０における第２蛍光体の濃度は、０．１〜２０体積％の範囲から、又は０．５〜１０体積％の範囲から選択されることが好ましい。
【００８７】  発光素子１１２が発する励起光１１８が光波長変換部材１１４に入射するとき、混合蛍光体含有シート１３０の第１蛍光体によって励起光１１８が黄色光に波長変換され、混合蛍光体含有シート１３０の第２蛍光体によって励起光１１８が青色光に波長変換される。したがって、黄色光と青色光を混合して得られる白色光が照明光１２０として白色表面１２６から出射される。
【００８８】  図４は、実施の形態１に係る灯具に関し、光波長変換部材１１４の反射率を例示する図である。図４には、図１に示される光波長変換部材１１４（実施例Ａと表記）の反射率と、図３（ａ）に示される光波長変換部材１１４（実施例Ｂと表記）の反射率の測定結果が示されている。上述のように、実施例Ａでは、光波長変換部材１１４は第１蛍光体含有シート１２２と第２蛍光体含有シート１２４の二層構造を有し、実施例Ｂでは、光波長変換部材１１４は混合蛍光体含有シート１３０の単層である。
【００８９】  図４から理解されるように、実施例Ａにおいては、光波長変換部材１１４は、青色域を含む可視光の全波長域にわたって約９０％の高い反射率を有する。したがって、光波長変換部材１１４はその表面が白く見え、白色表面１２６を有することがわかる。実施例Ｂにおいては、光波長変換部材１１４は、青色域よりも長波長側では約９０％の高い反射率を有するが、青色域では実施例Ａに比べて低い反射率をもつことがわかる。実施例Ｂの光波長変換部材１１４は、実施例Ａの光波長変換部材１１４よりも青色光を吸収しやすい。したがって、この測定結果では、実施例Ｂの光波長変換部材１１４は、実施例Ａの光波長変換部材１１４に比べると、いくらか黄色を帯びて見えることになる。
【００９０】  図３（ｂ）に示される灯具１００においては、光波長変換部材１１４は、混合蛍光体含有シート１３０に加えて、拡散材含有シート１３２を備える。光波長変換部材１１４は、混合蛍光体含有シート１３０と拡散材含有シート１３２の二層で形成されている。光波長変換部材１１４は、他の層をさらに含んでもよいが、その場合でも、拡散材含有シート１３２が光波長変換部材１１４の最外層に配置される。
【００９１】  拡散材含有シート１３２は、例えば、透明又は白色の透明シリコーン樹脂などの基材に拡散材の粒子が分散されたシート状の成形体として形成されている。拡散材は、例えば、酸化ケイ素（ＳｉＯ２）、酸化チタン（ＴｉＯ２）、酸化タリウム（Ｔａ２Ｏ５）などの白色の材料が用いられる。拡散材含有シート１３２における拡散材の濃度は、例えば０．１〜１０体積％の範囲から選択される。拡散材粒子の粒径の範囲は例えば１５〜５０μｍである。
【００９２】  拡散材含有シート１３２の内面（または一方の主表面）が発光素子１１２側を向き、拡散材含有シート１３２の外面（または他方の主表面）が透光カバー１０４側を向いている。拡散材含有シート１３２の内面は、混合蛍光体含有シート１３０の外面と接触している。あるいは、拡散材含有シート１３２の内面は混合蛍光体含有シート１３０の外面と接着され、これら２枚のシートが一体的なシート状の光波長変換部材１１４を形成してもよい。
【００９３】  拡散材含有シート１３２は、混合蛍光体含有シート１３０の外側に配置され、拡散材含有シート１３２が白色表面１２６を形成している。白色表面１２６は、混合蛍光体含有シート１３０の表面の色に比べて、より白色である。このようにすれば、例えば、第１蛍光体の母体色が濃色である場合や、混合蛍光体含有シート１３０における第１蛍光体の濃度が比較的大きい場合など、混合蛍光体含有シート１３０が有色であったとしても、混合蛍光体含有シート１３０を拡散材含有シート１３２で覆い隠すことができ、非点灯時における灯具１００の見映えをよくすることができる。
【００９４】  発光素子１１２が発する励起光１１８が光波長変換部材１１４に入射するとき、混合蛍光体含有シート１３０の第１蛍光体によって励起光１１８が黄色光に波長変換され、混合蛍光体含有シート１３０の第２蛍光体によって励起光１１８が青色光に波長変換される。黄色光と青色光の混合光（白色光）が拡散材含有シート１３２に入射し拡散されて、照明光１２０として白色表面１２６から出射される。
【００９５】  なお、拡散材含有シート１３２を追加する代わりに、混合蛍光体含有シート１３０に白色の拡散材が含有されてもよい。このようにすれば、混合蛍光体含有シート１３０が形成する白色表面１２６の白色度を高めることができ、拡散材含有シート１３２が無くても光波長変換部材１１４の外観をより白色にすることができる。あるいは、混合蛍光体含有シート１３０の外面に拡散材を塗布することによって混合蛍光体含有シート１３０上に拡散材層が形成されてもよい。
【００９６】  図３（ｃ）に示される灯具１００においては、二層構造の光波長変換部材１１４に拡散材含有シート１３２が付加されている。このように、光波長変換部材１１４は、第１蛍光体含有シート１２２、第２蛍光体含有シート１２４、及び拡散材含有シート１３２を有してもよい。拡散材含有シート１３２は、第２蛍光体含有シート１２４の外側に配置され、拡散材含有シート１３２が白色表面１２６を形成している。拡散材含有シート１３２は、第２蛍光体含有シート１２４と密着していてもよいし、第２蛍光体含有シート１２４から多少の隙間を隔てて配置されてもよい。
【００９７】  例えば、第１蛍光体の母体色が濃色である場合や、第１蛍光体含有シート１２２における第１蛍光体の濃度が比較的大きい場合など、第１蛍光体含有シート１２２を第２蛍光体含有シート１２４で覆ったとしても、第１蛍光体含有シート１２２の色が第２蛍光体含有シート１２４を透けて見えてしまう状況も想定されうる。
【００９８】  図３（ｃ）に示される実施の形態によれば、第１蛍光体含有シート１２２が第２蛍光体含有シート１２４で覆われ、さらに、第２蛍光体含有シート１２４が拡散材含有シート１３２で覆われるので、光波長変換部材１１４の外観をより白色化することができ、それにより、非点灯時における灯具１００の見映えをよくすることができる。
【００９９】  発光素子１１２が発する励起光１１８が光波長変換部材１１４に入射するとき、第１蛍光体含有シート１２２の第１蛍光体によって励起光１１８が黄色光に波長変換され、第２蛍光体含有シート１２４の第２蛍光体によって励起光１１８が青色光に波長変換される。黄色光と青色光の混合光（白色光）が拡散材含有シート１３２に入射し拡散されて、照明光１２０として白色表面１２６から出射される。
【０１００】  なお、拡散材含有シート１３２を追加する代わりに、第２蛍光体含有シート１２４に白色の拡散材が含有されてもよい。このようにすれば、第２蛍光体含有シート１２４が形成する白色表面１２６の白色度を高めることができ、拡散材含有シート１３２が無くても光波長変換部材１１４の外観をより白色にすることができる。あるいは、第２蛍光体含有シート１２４の外面に拡散材を塗布することによって第２蛍光体含有シート１２４に拡散材層が形成されてもよい。
【０１０１】  あるいは、第１蛍光体含有シート１２２に白色の拡散材が含有されてもよい。または、第１蛍光体含有シート１２２の外面に拡散材を塗布することによって第１蛍光体含有シート１２２に拡散材層が形成されてもよい。これらの場合、図１及び図３（ｃ）に示される例とは逆に、第１蛍光体含有シート１２２が第２蛍光体含有シート１２４の外側に配置されてもよい。
【０１０２】  また、図３（ａ）、図３（ｂ）、及び図３（ｃ）に示される実施の形態によれば、灯具１００はリモートフォスファー方式で構成されているから、灯具１００の点灯時には、より均一な輝度及び／またはより均一な色で比較的広い面積を照らす面発光を実現することができる。また、拡散材含有シート１３２が設けられている場合には、照明光１２０の輝度及び色の均一性がより向上される。
【０１０３】  図５（ａ）及び図５（ｂ）は、実施の形態１に係る灯具の他の例を説明するための図である。図５（ａ）に示される灯具１００の発光モジュール１１０においては、第１蛍光体含有シート１２２と第２蛍光体含有シート１２４との間に空間１３４が設けられている。空間１３４は、第１蛍光体含有シート１２２を第２蛍光体含有シート１２４から隔てる隙間である。このように、第１蛍光体含有シート１２２と第２蛍光体含有シート１２４は接触していなくてもよい。空間１３４を設けることにより、第１蛍光体含有シート１２２が濃色であったとしても、第１蛍光体含有シート１２２の色が第２蛍光体含有シート１２４を透けにくくなる。図５（ｂ）に示されるように、第１蛍光体含有シート１２２と第２蛍光体含有シート１２４が空間１３４により互いに隔てられた場合にも、拡散材含有シート１３２が追加されてもよい。
【０１０４】（実施の形態２）  実施の形態２に係る灯具は、第１蛍光体含有層と第２蛍光体含有層の少なくとも一方がシート状に成形されていなくてもよい点を除いて、実施の形態１に係る灯具１００の構成と共通する。以下、実施の形態２に係る灯具について、実施の形態１と異なる構成を中心に説明し、共通する構成については簡単に説明するか、あるいは説明を省略する。
【０１０５】  図６（ａ）及び図６（ｂ）は、実施の形態２に係る灯具の例を説明するための図である。図６（ａ）に示されるように、灯具１００の発光モジュール１１０は、発光素子１１２、第１蛍光体含有層１３６、及び光波長変換部材１１４を備える。発光素子１１２の発光面は第１蛍光体含有層１３６に被覆されている。第１蛍光体含有層１３６は、例えば、第１蛍光体を発光素子１１２の発光面に塗布することによって形成される。第１蛍光体含有層１３６と第２蛍光体含有シート１２４との間には空間１３４が設けられている。
【０１０６】  光波長変換部材１１４は、第２蛍光体含有シート１２４及び白色表面１２６を備え、第１蛍光体含有層１３６からの出射光１３８が入射するように、発光素子１１２及び第１蛍光体含有層１３６から離間して配置されている。第１蛍光体含有層１３６からの出射光１３８は、発光素子１１２が発する励起光（例えば紫色光）と第１蛍光体含有層１３６が発する第１変換光（例えば黄色光）とを含む。第２蛍光体含有シート１２４が白色表面１２６を形成している。
【０１０７】  このようにすれば、第１蛍光体が有色であったとしても、第１蛍光体含有層１３６を第２蛍光体含有シート１２４で覆い隠すことができる。光波長変換部材１１４の外観を白色化することができ、それにより、非点灯時における灯具１００の見映えをよくすることができる。また、第１蛍光体含有層１３６を隠すために第２蛍光体含有シート１２４を利用しているので、第１蛍光体含有層１３６を隠すための専用の部材を灯具１００に追加する必要がない。したがって、実施の形態２に係る灯具１００によれば、そうした追加部材を採用する場合に比べて、灯具１００の構成を簡素にすることができる。
【０１０８】  発光素子１１２が発する励起光は第１蛍光体含有層１３６に入射し黄色光に波長変換され、励起光と黄色光を含む第１蛍光体含有層１３６からの出射光１３８が光波長変換部材１１４に入射する。励起光は第２蛍光体含有シート１２４の第２蛍光体によって青色光に波長変換される。黄色光と青色光を混合して得られる白色光が照明光１２０として白色表面１２６から出射される。
【０１０９】  灯具１００はリモートフォスファー方式で構成されているから、灯具１００の点灯時には、より均一な輝度及び／またはより均一な色で比較的広い面積を照らす面発光を実現することができる。
【０１１０】  なお、第１蛍光体含有層１３６は、第２蛍光体含有シート１２４と発光素子１１２との間の任意の位置に配置されてもよい。例えば、第１蛍光体含有層１３６は、第２蛍光体含有シート１２４の内面に第１蛍光体を塗布することによって、第２蛍光体含有シート１２４上に形成されてもよい。あるいは、第１蛍光体含有層１３６は、透明支持部材の表面に塗布されることによって透明支持部材上に形成され、透明支持部材とともに第２蛍光体含有シート１２４と発光素子１１２との間に配置されてもよい。
【０１１１】  また、図６（ｂ）に示されるように、灯具１００の発光モジュール１１０は、拡散材含有シート１３２を備えてもよい。拡散材含有シート１３２は、第２蛍光体含有シート１２４の外側に配置され、拡散材含有シート１３２が白色表面１２６を形成している。このようにすれば、第１蛍光体含有層１３６が第２蛍光体含有シート１２４で覆われ、さらに、第２蛍光体含有シート１２４が拡散材含有シート１３２で覆われるので、光波長変換部材１１４の外観をより白色化することができ、それにより、非点灯時における灯具１００の見映えをよくすることができる。
【０１１２】  図７（ａ）から図７（ｃ）は、実施の形態２に係る灯具の他の例を説明するための図である。図７（ａ）から図７（ｃ）に示されるように、灯具１００の発光モジュール１１０は、透明支持部材１４０を備える。一例として、透明支持部材１４０の両面は平坦である。透明支持部材１４０は、例えばガラス、樹脂（例えば、ポリカーボネート、アクリル、ポリスチレン、ポリエチレン等）などの透明材料で形成される。透明材料は、塗装可能な材料であることが望ましい。
【０１１３】  図７（ａ）に示されるように、光波長変換部材１１４は、透明支持部材１４０と混合蛍光体含有層１４２とを備える。透明支持部材１４０は、発光素子１１２から離間して配置され発光素子１１２側を向く内面１４０ａを有し、混合蛍光体含有層１４２を支持する。混合蛍光体含有層１４２は、第１蛍光体と第２蛍光体の両方を含有する。第１蛍光体、第２蛍光体、及び適切な溶剤からなる塗装材料が透明支持部材１４０の内面１４０ａに塗布されることによって、混合蛍光体含有層１４２が透明支持部材１４０上に形成される。混合蛍光体含有層１４２は拡散材を含有してもよい。混合蛍光体含有層１４２の外面が白色表面１２６にあたる。
【０１１４】  混合蛍光体含有層１４２に代えて、図７（ｂ）に示されるように、光波長変換部材１１４は、第１蛍光体含有層１３６と第２蛍光体含有層１４４とを備えてもよい。透明支持部材１４０が、第１蛍光体含有層１３６と第２蛍光体含有層１４４を支持する。第２蛍光体含有層１４４は、第１蛍光体含有層１３６に対し発光素子１１２とは反対側に配置されている。第２蛍光体含有層１４４は、発光素子１１２が発する励起光１１８と第１変換光とを含む第１蛍光体含有層１３６からの出射光が入射するように、透明支持部材１４０の内面１４０ａと第１蛍光体含有層１３６との間に配置されている。
【０１１５】  一例として、透明支持部材１４０の内面１４０ａに第２蛍光体が塗布されて第２蛍光体含有層１４４が形成され、さらに、第２蛍光体含有層１４４に第１蛍光体が塗布されて第１蛍光体含有層１３６が形成されている。第１蛍光体含有層１３６と第２蛍光体含有層１４４の少なくとも一方が拡散材を含有してもよい。第２蛍光体含有層１４４の外面が白色表面１２６にあたる。
【０１１６】  図７（ｃ）に示されるように、発光素子１１２の発光面は第１蛍光体含有層１３６に被覆されてもよい。光波長変換部材１１４は、透明支持部材１４０及び第２蛍光体含有層１４４を備える。透明支持部材１４０は、第２蛍光体含有層１４４を支持する。第２蛍光体含有層１４４は、発光素子１１２が発する励起光と第１変換光とを含む第１蛍光体含有層１３６からの出射光が入射するように、透明支持部材１４０の内面１４０ａと第１蛍光体含有層１３６との間に配置されている。一例として、透明支持部材１４０の内面１４０ａに第２蛍光体が塗布されて第２蛍光体含有層１４４が形成されている。第２蛍光体含有層１４４の外面が白色表面１２６にあたる。
【０１１７】  図７（ａ）から図７（ｃ）に示される実施の形態によれば、光波長変換部材１１４の外観を白色化することができ、それにより、非点灯時における灯具１００の見映えをよくすることができる。また、透明支持部材１４０による透明感が外観に表れるので、これも灯具１００の見映えの向上に役立つ。
【０１１８】  図８は、実施の形態２に係る灯具の他の例を説明するための図である。図８に示されるように、灯具１００の発光モジュール１１０は、光波長変換部材１１４を備え、光波長変換部材１１４は、透明支持部材１４０、第１蛍光体含有層１３６、及び第２蛍光体含有層１４４を備える。第１蛍光体含有層１３６と第２蛍光体含有層１４４は透明支持部材１４０の内面１４０ａに支持されている。第２蛍光体含有層１４４の外面が白色表面１２６にあたる。上述の各実施の形態と同様に、非点灯時における灯具１００の見映えをよくすることができる。なお、第１蛍光体含有層１３６及び第２蛍光体含有層１４４に代えて、混合蛍光体含有層１４２が透明支持部材１４０の内面１４０ａに支持されてもよい。
【０１１９】  透明支持部材１４０は、発光素子１１２とは反対側を向く外面を有し、透明支持部材１４０の外面は、光波長変換部材１１４から出射する出射光１４６の出射方向を制御するよう光学設計された光学形状１４８を備える。透明支持部材１４０に光学形状１４８が設けられているので、光波長変換部材１１４からの出射光１４６を所望の出射方向に制御することができる。
【０１２０】  一例として、光学形状１４８は、個々の発光素子１１２の直上に位置する傾斜出射面１４８ａと、隣り合う傾斜出射面１４８ａを接続する接続面１４８ｂとを有する鋸歯状の表面として形成されている。傾斜出射面１４８ａおよび接続面１４８ｂは、透明支持部材１４０の外面の一部となっている。傾斜出射面１４８ａの傾斜角度に応じて出射光１４６の出射方向が決まる。接続面１４８ｂは、例えば、透明支持部材１４０の内面１４０ａに垂直な鉛直面となっているが、これに限られない。
【０１２１】  図９（ａ）から図９（ｄ）は、実施の形態２に係る灯具の他の例を説明するための図である。図９（ａ）から図９（ｄ）に示されるように、少なくとも１つの蛍光体含有層が透明支持部材１４０の外面１４０ｂに支持されてもよい。
【０１２２】  図９（ａ）に示されるように、光波長変換部材１１４は、透明支持部材１４０と混合蛍光体含有層１４２とを備える。混合蛍光体含有層１４２は、透明支持部材１４０の外面１４０ｂ上に形成されている。例えば、第１蛍光体と第２蛍光体の混合物が透明支持部材１４０の外面１４０ｂに塗布されることによって、混合蛍光体含有層１４２が透明支持部材１４０上に形成される。混合蛍光体含有層１４２の外面が白色表面１２６にあたる。
【０１２３】  図９（ｂ）に示されるように、光波長変換部材１１４は、第１蛍光体含有層１３６と第２蛍光体含有層１４４とを備える。透明支持部材１４０が、第１蛍光体含有層１３６と第２蛍光体含有層１４４を支持する。第２蛍光体含有層１４４は、透明支持部材１４０の外面１４０ｂの外側に配置され、第１蛍光体含有層１３６は、透明支持部材１４０の外面１４０ｂと第２蛍光体含有層１４４との間に配置されている。一例として、透明支持部材１４０の外面１４０ｂに第１蛍光体が塗布されて第１蛍光体含有層１３６が形成され、さらに、第１蛍光体含有層１３６に第２蛍光体が塗布されて第２蛍光体含有層１４４が形成されている。第２蛍光体含有層１４４の外面が白色表面１２６にあたる。
【０１２４】  図９（ｃ）に示されるように、光波長変換部材１１４は、第１蛍光体含有層１３６と第２蛍光体含有層１４４とを備える。透明支持部材１４０が、第１蛍光体含有層１３６と第２蛍光体含有層１４４を支持する。第２蛍光体含有層１４４は、透明支持部材１４０の外面１４０ｂの外側に配置され、第１蛍光体含有層１３６は、透明支持部材１４０の内面１４０ａと発光素子１１２との間に配置されている。一例として、透明支持部材１４０の外面１４０ｂに第２蛍光体が塗布されて第２蛍光体含有層１４４が形成され、透明支持部材１４０の内面１４０ａに第１蛍光体が塗布されて第１蛍光体含有層１３６が形成されている。第２蛍光体含有層１４４の外面が白色表面１２６にあたる。
【０１２５】  図９（ｄ）に示されるように、第２蛍光体含有層１４４は、透明支持部材１４０の外面１４０ｂの外側に配置され、第１蛍光体含有層１３６は、透明支持部材１４０の内面１４０ａと発光素子１１２との間に配置されている。一例として、透明支持部材１４０の外面１４０ｂに第２蛍光体が塗布されて第２蛍光体含有層１４４が形成され、発光素子１１２の発光面に第１蛍光体が塗布されて第１蛍光体含有層１３６が形成されている。第２蛍光体含有層１４４の外面が白色表面１２６にあたる。
【０１２６】  図９（ａ）から図９（ｄ）に示される実施の形態によれば、光波長変換部材１１４の外観を白色化することができ、それにより、非点灯時における灯具１００の見映えをよくすることができる。
【０１２７】  図１０は、実施の形態２に係る灯具の他の例を説明するための図である。図１０に示されるように、灯具１００の発光モジュール１１０は、光波長変換部材１１４を備え、光波長変換部材１１４は、透明支持部材１４０、第１蛍光体含有層１３６、及び第２蛍光体含有層１４４を備える。第１蛍光体含有層１３６と第２蛍光体含有層１４４は透明支持部材１４０の外面１４０ｂに支持されている。第２蛍光体含有層１４４の外面が白色表面１２６にあたる。上述の各実施の形態と同様に、非点灯時における灯具１００の見映えをよくすることができる。なお、第１蛍光体含有層１３６及び第２蛍光体含有層１４４に代えて、混合蛍光体含有層１４２が透明支持部材１４０の外面１４０ｂに支持されてもよい。
【０１２８】  透明支持部材１４０の内面１４０ａは、光波長変換部材１１４の発光面の輝度分布を制御するよう光学設計された光学形状１５０を備える。透明支持部材１４０に光学形状１５０が設けられているので、光波長変換部材１１４の発光面を所望の輝度分布に制御することができる。
【０１２９】  一例として、光学形状１５０は、透明支持部材１４０の内面１４０ａから空間１３４に突出した透明な凸部として形成され、この凸部は、隣り合う発光素子１１２間の直上に配置されている。そのため、凸部は、隣り合う発光素子１１２の各々に向けられた２つの傾斜入射面１５０ａを有する。ある発光素子１１２から一方の傾斜入射面１５０ａに入射した光は、同じ凸部の他方の傾斜入射面１５０ａで反射され、第１蛍光体含有層１３６及び第２蛍光体含有層１４４に向けられている。発光素子１１２の直上では透明支持部材１４０は平坦である。したがって、発光素子１１２の直上では透明支持部材１４０が薄く、隣り合う発光素子１１２間の直上では透明支持部材１４０が厚くなっている。なお、凸部は透明支持部材１４０と同じ透明材料で透明支持部材１４０と一体形成されている。このようにすれば、隣り合う発光素子１１２間の暗くなりやすい領域をより明るくすることができるので、光波長変換部材１１４の発光面の輝度分布をより均一にすることができる。
【０１３０】  また、透明支持部材１４０は、発光素子１１２の配置に応じた厚さ分布を有してもよい。図１０に示される例とは異なり、例えば、発光素子１１２の直上では透明支持部材１４０が厚く、隣り合う発光素子１１２間の直上では透明支持部材１４０が薄くてもよい。このようにしても、隣り合う発光素子１１２間の暗くなりやすい領域をより明るくして、光波長変換部材１１４の発光面の輝度分布の不均一を軽減しうる。
【０１３１】（実施の形態３）  実施の形態３に係る灯具は、蛍光体材料の粒径を除いて、実施の形態１、２に係る灯具１００の構成と共通する。以下、実施の形態３に係る灯具について、実施の形態１、２と異なる構成を中心に説明し、共通する構成については簡単に説明するか、あるいは説明を省略する。
【０１３２】  図１１（ａ）から図１１（ｃ）は、実施の形態３に係る灯具の例を説明するための図である。図１１（ａ）に示されるように、灯具１００の発光モジュール１１０は、発光素子１１２、第１蛍光体含有層１３６、及び第２蛍光体含有層１４４を備える。第２蛍光体含有層１４４は、第１蛍光体含有層１３６に対し発光素子１１２とは反対側に配置されている。実施の形態１と同様に、第１蛍光体含有層１３６は、基材と基材に分散した第１蛍光体粒子とを備える第１蛍光体含有シートとして形成され、第２蛍光体含有層１４４は、基材と基材に分散した第２蛍光体粒子とを備える第２蛍光体含有シートとして形成されていてもよい。第２蛍光体含有層１４４が白色表面１２６を形成している。
【０１３３】  第１蛍光体含有層１３６は第１蛍光体粒子を含有し、第２蛍光体含有層１４４は第２蛍光体粒子を含有し、第２蛍光体粒子の粒径が、第１蛍光体粒子の粒径より小さい。第１蛍光体粒子の粒径の範囲は例えば１５〜５０μｍである。第２蛍光体粒子の粒径の範囲は例えば０．１〜１５μｍである。
【０１３４】  ここで、蛍光体粒子の粒径は、測定により得られる粒径分布曲線のセンター値（Ｄ５０）であってもよい。蛍光体粒子の粒径は、例えば、レーザー回折法により、マイクロトラック社の粒子径分布測定装置ＭＴ−３０００を使用して測定することができる。
【０１３５】  図１２は、実施の形態３に係る灯具に関し、蛍光体粒子の粒径分布を例示する図である。図１２には、第１蛍光体粒子の第１粒径分布１５２と第２蛍光体粒子の第２粒径分布１５４が示されている。第２粒径分布１５４におけるＤ５０値Ｄ５０２は、第１粒径分布１５２におけるＤ５０値Ｄ５０１より小さい。また、第２粒径分布１５４におけるＤ５０値Ｄ５０２は、しきい値となるＤ５０値Ｄ５００（例えば１５μｍ）より小さく、第１粒径分布１５２におけるＤ５０値Ｄ５０１は、しきい値となるＤ５０値Ｄ５００より大きい。
【０１３６】  第２蛍光体粒子の母体色が白色であり、第２蛍光体含有層１４４は、第１蛍光体含有層１３６に対し発光素子１１２とは反対側に配置されている。そのため、白色表面１２６、すなわち灯具１００の外から視認可能な光波長変換部材１１４の発光面が比較的白く見える。また、第２蛍光体粒子の粒径を小さくすることにより、第２蛍光体含有層１４４における光の散乱が大きくなり、第１蛍光体含有層１３６の色が第２蛍光体含有層１４４を透けにくくなる。光波長変換部材１１４の外観を白色化することができ、それにより、非点灯時における灯具１００の見映えをよくすることができる。
【０１３７】  図１１（ｂ）に示されるように、光波長変換部材１１４は、第１蛍光体含有層１３６と第２蛍光体含有層１４４とを備える単一の蛍光体含有シート１５６を備えてもよい。第２蛍光体含有層１４４が白色表面１２６を形成している。単一の蛍光体含有シート１５６においても、第１蛍光体含有層１３６は第１蛍光体粒子を含有し、第２蛍光体含有層１４４は第２蛍光体粒子を含有し、第２蛍光体粒子の粒径が、第１蛍光体粒子の粒径より小さい。このようにしても、第２蛍光体含有層１４４における光の散乱が大きくなり、第１蛍光体含有層１３６の色が第２蛍光体含有層１４４を透けにくくなる。
【０１３８】  図１１（ｃ）に示されるように、光波長変換部材１１４は、第１蛍光体含有層１３６と第２蛍光体含有層１４４とを支持する透明支持部材１４０を備えてもよい。第２蛍光体含有層１４４が白色表面１２６を形成している。第１蛍光体含有層１３６は第１蛍光体粒子を含有し、第２蛍光体含有層１４４は第２蛍光体粒子を含有し、第２蛍光体粒子の粒径が、第１蛍光体粒子の粒径より小さい。このようにしても、第２蛍光体含有層１４４における光の散乱が大きくなり、第１蛍光体含有層１３６の色が第２蛍光体含有層１４４を透けにくくなる。
【０１３９】（実施の形態４）  実施の形態４に係る灯具は、光波長変換部材における蛍光体の濃度分布を除いて、実施の形態１から３に係る灯具１００の構成と共通する。以下、実施の形態４に係る灯具について、実施の形態１から３と異なる構成を中心に説明し、共通する構成については簡単に説明するか、あるいは説明を省略する。
【０１４０】  実施の形態４に係る灯具１００においては、光波長変換部材１１４の厚さ方向に垂直な面内における蛍光体の濃度が一様ではない。光波長変換部材１１４は、少なくとも１つの低濃度領域と、少なくとも１つの高濃度領域と、を備える。少なくとも１つの高濃度領域は、光波長変換部材１１４の厚さ方向に垂直な面内において少なくとも１つの低濃度領域に比べて発光素子１１２から離れて位置する。高濃度領域での第１蛍光体の濃度が低濃度領域での第１蛍光体の濃度より高く、及び／または、高濃度領域での第２蛍光体の濃度が低濃度領域での第２蛍光体の濃度より高い。光波長変換部材１１４の厚さ方向に垂直な面内において蛍光体の濃度を局所的に濃く、または薄くすることによって、当該面内における明るさのムラを低減することが可能となる。
【０１４１】  少なくとも１つの低濃度領域は、発光素子１１２の直上に位置する低濃度領域を含み、少なくとも１つの高濃度領域は、発光素子１１２の直上に位置する低濃度領域の周囲に位置する高濃度領域を含んでもよい。発光素子１１２の直上に位置する光波長変換部材１１４の部位は発光素子１１２に最も近接するため明るくなりやすく、当該部位の周囲は、発光素子１１２から離れて位置するため暗くなりやすい。したがって、発光素子１１２の直上では光波長変換部材１１４に蛍光体の低濃度領域を形成し、この低濃度領域の周囲では光波長変換部材１１４に蛍光体の高濃度領域を形成することによって、光波長変換部材１１４の面内における明るさのムラを低減することができる。
【０１４２】  一例として、灯具は、複数の発光素子を備えてもよい。少なくとも１つの低濃度領域は、対応する発光素子の直上に各々が位置する複数の低濃度領域を含んでもよい。少なくとも１つの高濃度領域は、隣接する発光素子間の直上に各々が位置する複数の高濃度領域を含んでもよい。発光素子１１２の直上に位置する光波長変換部材１１４の部位は発光素子１１２に最も近接するため明るくなりやすく、隣接する発光素子１１２間の直上に位置する光波長変換部材１１４の部位は発光素子１１２から離れて位置するため暗くなりやすい。したがって、発光素子１１２の直上では光波長変換部材１１４に蛍光体の低濃度領域を形成し、隣接する発光素子１１２間の直上では光波長変換部材１１４に蛍光体の高濃度領域を形成することによって、光波長変換部材１１４の面内における明るさのムラを低減することができる。
【０１４３】  他の一例として、少なくとも１つの高濃度領域は、光波長変換部材１１４の外周の少なくとも一部に沿って延在する高濃度領域を含んでもよい。一般に、発光素子１１２は光波長変換部材１１４の中心部の直下に配置され、光波長変換部材１１４の外周は発光素子１１２から離れて位置するため暗くなりやすい。したがって、光波長変換部材１１４の外周の少なくとも一部に沿って延在する高濃度領域を光波長変換部材１１４に設けることによって、光波長変換部材１１４の面内における明るさのムラを低減することができる。
【０１４４】  図１３は、実施の形態４に係る灯具の一例を説明するための図である。図８に示されるように、灯具１００の発光モジュール１１０は、複数の発光素子１１２と、光波長変換部材１１４とを備える。光波長変換部材１１４は、第１蛍光体を含有する第１蛍光体含有層１３６と、第２蛍光体を含有する第２蛍光体含有層１４４と、を備え、第２蛍光体含有層１４４は、第１蛍光体含有層１３６に対し発光素子１１２とは反対側に配置されている。第２蛍光体含有層１４４の外面が白色表面１２６にあたる。上述の各実施の形態と同様に、非点灯時における灯具１００の見映えをよくすることができる。
【０１４５】  第１蛍光体含有層１３６は、例えば、透明又は白色の透明シリコーン樹脂などの基材に第１蛍光体の粒子が分散されたシート状の蛍光体成形体として形成されてもよく、第２蛍光体含有層１４４は、例えば、透明又は白色の透明シリコーン樹脂などの基材に第２蛍光体の粒子が分散されたシート状の蛍光体成形体として形成されてもよい。
【０１４６】  第１蛍光体含有層１３６は、少なくとも１つの第１低濃度領域１５８と、少なくとも１つの第１高濃度領域１６０と、を備える。少なくとも１つの第１高濃度領域１６０は、光波長変換部材１１４の厚さ方向（図１３において上下方向）に垂直な面内において、少なくとも１つの第１低濃度領域１５８に比べて発光素子１１２から離れて位置する。
【０１４７】  より具体的には、第１蛍光体含有層１３６は、複数の第１低濃度領域１５８を有し、各第１低濃度領域１５８が、対応する発光素子１１２の直上に位置する。また、第１蛍光体含有層１３６は、複数の第１高濃度領域１６０を有し、各第１高濃度領域１６０が、隣接する発光素子１１２間の直上に各々が位置する。第１蛍光体含有層１３６においては、第１低濃度領域１５８と第１高濃度領域１６０とが面内方向に交互に配置されている。
【０１４８】  第２蛍光体含有層１４４は、少なくとも１つの第２低濃度領域１６２と、少なくとも１つの第２高濃度領域１６４と、を備える。少なくとも１つの第２高濃度領域１６４は、光波長変換部材１１４の厚さ方向に垂直な面内において、少なくとも１つの第２低濃度領域１６２に比べて発光素子１１２から離れて位置する。
【０１４９】  より具体的には、第２蛍光体含有層１４４は、複数の第２低濃度領域１６２を有し、各第２低濃度領域１６２が、対応する発光素子１１２の直上に位置する。また、第２蛍光体含有層１４４は、複数の第２高濃度領域１６４を有し、各第２高濃度領域１６４が、隣接する発光素子１１２間の直上に各々が位置する。第２蛍光体含有層１４４においては、第２低濃度領域１６２と第２高濃度領域１６４とが面内方向（図１３において左右方向）に交互に配置されている。
【０１５０】  第１高濃度領域１６０は、光波長変換部材１１４の厚さ方向に垂直な面内において第２高濃度領域１６４と重なり合っている。すなわち、第１高濃度領域１６０は、光波長変換部材１１４の厚さ方向に第２高濃度領域１６４と隣接している。また、第１低濃度領域１５８は、光波長変換部材１１４の厚さ方向に垂直な面内において第２低濃度領域１６２と重なり合っている。すなわち、第１低濃度領域１５８は、光波長変換部材１１４の厚さ方向に第２低濃度領域１６２と隣接している。
【０１５１】  第１高濃度領域１６０での第１蛍光体の濃度は、第１低濃度領域１５８での第１蛍光体の濃度より高い。第１高濃度領域１６０での第１蛍光体の濃度は、０．１〜２０体積％の範囲にあってもよい。第１低濃度領域１５８での第１蛍光体の濃度は、０．０１〜１０体積％の範囲にあってもよい。第１高濃度領域１６０での第１蛍光体の濃度は、第１低濃度領域１５８での第１蛍光体の濃度に比べて、５〜１０体積％高くてもよい。
【０１５２】  第２高濃度領域１６４での第２蛍光体の濃度は、第２低濃度領域１６２での第２蛍光体の濃度より高い。第２高濃度領域１６４での第２蛍光体の濃度は、０．１〜２０体積％の範囲にあってもよい。第２低濃度領域１６２での第２蛍光体の濃度は、０．０１〜１０体積％の範囲にあってもよい。第２高濃度領域１６４での第１蛍光体の濃度は、第２低濃度領域１６２での第１蛍光体の濃度に比べて、５〜１０体積％高くてもよい。
【０１５３】  発光素子１１２が発する励起光１１８が光波長変換部材１１４に入射するとき、第１蛍光体含有層１３６の第１蛍光体によって励起光１１８が黄色光に波長変換され、第２蛍光体含有層１４４の第２蛍光体によって励起光１１８が青色光に波長変換される。したがって、黄色光と青色光が混合されて得られる白色光が照明光１２０として白色表面１２６から出射される。
【０１５４】  発光素子１１２の直上には第１低濃度領域１５８及び第２低濃度領域１６２が配置され、第１蛍光体及び第２蛍光体の濃度が低い。その一方、隣り合う発光素子１１２間の直上には第１高濃度領域１６０及び第２高濃度領域１６４が配置され、第１蛍光体及び第２蛍光体の濃度が高い。このようにすれば、隣り合う発光素子１１２間の暗くなりやすい領域をより明るくすることができるので、光波長変換部材１１４の発光面における明るさのムラを低減した灯具１００を提供することができる。
【０１５５】  なお、第１高濃度領域１６０は、光波長変換部材１１４の厚さ方向に垂直な面内において第２高濃度領域１６４と少なくとも部分的に重なり合っていてもよい、第１低濃度領域１５８は、光波長変換部材１１４の厚さ方向に垂直な面内において第２低濃度領域１６２と少なくとも部分的に重なり合っていてもよい。このようにしても、光波長変換部材１１４の面内における明るさのムラをある程度低減することができる。
【０１５６】  図１４（ａ）及び図１４（ｂ）は、実施の形態４に係る灯具に用いられる光波長変換部材の例を説明するための図である。図１４（ａ）には、光波長変換部材１１４の概略分解斜視図を示し、図１４（ｂ）には、図１４（ａ）のＡ−Ａ’線における概略断面図を示す。
【０１５７】  光波長変換部材１１４は、第１蛍光体を含有する第１蛍光体含有層１３６と、第２蛍光体を含有する第２蛍光体含有層１４４と、を備え、第２蛍光体含有層１４４は、第１蛍光体含有層１３６に対し発光素子１１２とは反対側に配置されている。第２蛍光体含有層１４４の外面が白色表面１２６にあたる。上述の各実施の形態と同様に、非点灯時における灯具１００の見映えをよくすることができる。
【０１５８】  第１蛍光体含有層１３６は、例えば、透明又は白色の透明シリコーン樹脂などの基材に第１蛍光体の粒子が分散されたシート状の蛍光体成形体として形成されてもよく、第２蛍光体含有層１４４は、例えば、透明又は白色の透明シリコーン樹脂などの基材に第２蛍光体の粒子が分散されたシート状の蛍光体成形体として形成されてもよい。
【０１５９】  各実施の形態においては、光波長変換部材１１４は、平坦な薄板形状を有してもよいし、後述するように、異形の形状を有してもよい。光波長変換部材１１４は、例えば、比較的大型で湾曲した形状を有してもよい。光波長変換部材１１４がこうした異形である場合、発光素子１１２が光波長変換部材１１４の中心部の下方に配置されるのが通例であるため、光波長変換部材１１４の外周１６６には発光素子１１２が発する励起光１１８が届きにくい。
【０１６０】  そこで、図１４（ａ）及び図１４（ｂ）に示される実施の形態においては、第１高濃度領域１６０及び第２高濃度領域１６４が、光波長変換部材１１４の外周１６６の全体に沿って延在している。第１低濃度領域１５８は第１高濃度領域１６０に囲まれて光波長変換部材１１４の中心部に位置し、第２低濃度領域１６２は第２高濃度領域１６４に囲まれて光波長変換部材１１４の中心部に位置する。第１高濃度領域１６０及び第２高濃度領域１６４の内周１６８は、光波長変換部材１１４の外周１６６から１〜５ｍｍの範囲にあってもよい。
【０１６１】  このようにすれば、光波長変換部材１１４の外周１６６に沿って第１高濃度領域１６０及び第２高濃度領域１６４が設けられているので、光波長変換部材１１４の外周１６６をより明るくすることができる。より均一な照明光１２０を得ることができる。よって、光波長変換部材１１４の発光面における明るさのムラを低減した灯具１００を提供することができる。
【０１６２】  なお、第１高濃度領域１６０及び第２高濃度領域１６４は、光波長変換部材１１４の外周１６６の少なくとも一部に沿って延在してもよい。このようにしても、光波長変換部材１１４の面内における明るさのムラをある程度低減することができる。
【０１６３】（実施の形態５）  実施の形態５に係る灯具は、光波長変換部材の構成を除いて、上述の実施の形態に係る灯具１００の構成と共通する。上述の実施の形態において、灯具１００の発光モジュール１１０は、二種類の蛍光体を含有する光波長変換部材１１４を備える。これに対して、実施の形態５に係る灯具１００の発光モジュール１１０は、三種類、四種類、またはそれより多種の蛍光体を含有する光波長変換部材１１４を備える。以下、実施の形態５に係る灯具について、上述の実施の形態と異なる構成を中心に説明し、共通する構成については簡単に説明するか、あるいは説明を省略する。
【０１６４】  図１５（ａ）及び図１５（ｂ）は、実施の形態５に係る灯具の例を説明するための図である。図１５（ａ）に示されるように、灯具１００の発光モジュール１１０は、励起光１１８を発する発光素子１１２と、光波長変換部材１１４と、支持構造１１６とを備える。支持構造１１６は、発光素子１１２と光波長変換部材１１４を支持し、それにより、発光モジュール１１０は、発光素子１１２から光波長変換部材１１４が離間して配置されたリモートフォスファー方式で構成されている。
【０１６５】  光波長変換部材１１４は励起光１１８を受けると励起され、励起光１１８を波長変換した変換光を光波長変換部材１１４の外面から発する。発光モジュール１１０が発する照明光１２０は、光波長変換部材１１４の発光面から発せられる変換光を含み、又は、励起光１１８及び変換光を含む。
【０１６６】  光波長変換部材１１４は、上述の第１蛍光体（例えば黄色発光蛍光体）及び第２蛍光体（例えば青色発光蛍光体）に加えて、第３蛍光体及び第４蛍光体を含有する。光波長変換部材１１４は、第１蛍光体、第３蛍光体及び第４蛍光体を含有する混合蛍光体含有層１４２と、第２蛍光体を含有する第２蛍光体含有層１４４とを備える。第２蛍光体含有層１４４は、混合蛍光体含有層１４２に対し発光素子１１２とは反対側に配置されている。第２蛍光体含有層１４４が白色表面１２６を形成している。
【０１６７】  上述の実施の形態と同様に、混合蛍光体含有層１４２は、基材と基材に分散した各種蛍光体粒子とを備える混合蛍光体含有シートとして形成され、第２蛍光体含有層１４４は、基材と基材に分散した第２蛍光体粒子とを備える第２蛍光体含有シートとして形成されていてもよい。これらの蛍光体含有シートは重ね合わされ、例えば接着により互いに固定される。こうして得られた積層シートは、支持構造１１６を外枠として固定支持される。
【０１６８】  第３蛍光体は、励起光１１８により励起され、第３ドミナント波長を有する第３変換光を発する。第３ドミナント波長は、第１ドミナント波長及び第２ドミナント波長とは異なる波長であり、例えば、第１ドミナント波長と第２ドミナント波長の間の波長であってもよい。あるいは、第３ドミナント波長は、第１ドミナント波長より長い波長であってもよいし、または、第２ドミナント波長より短い波長であってもよい。第３蛍光体は励起光１１８を受け第１発光色及び第２発光色と異なる第３発光色を呈する。
【０１６９】  このように、光波長変換部材１１４が、第１蛍光体及び第２蛍光体に加えて第３蛍光体を備え、これら蛍光体が励起光１１８を受けて発する変換光のドミナント波長は互いに異なっている。そのため、発光モジュール１１０は、より広い波長域で発光することができ、灯具１００の演色性が向上される。
【０１７０】  第３ドミナント波長は、例えば５００〜５６０ｎｍの範囲にある。この場合、第３変換光は緑色光であり、第３蛍光体は紫外線又は短波長可視光（例えば紫色光）を緑色光に波長変換することができる緑色発光蛍光体である。一例として、第３蛍光体は、βサイアロン蛍光体（（Ｂａ，Ｓｒ）２ＳｉＯ４：Ｅｕ２＋）、またはＢＯＳ（バリウム・オルソシリケート）蛍光体（（Ｂａ，Ｓｒ，Ｃａ）２ＳｉＯ４：Ｅｕ２＋）であってもよい。
【０１７１】  第４蛍光体は、励起光１１８により励起され、第４ドミナント波長を有する第４変換光を発する。第４ドミナント波長は、第１から第３ドミナント波長のいずれとも異なる波長であり、例えば、第１から第３ドミナント波長よりも長い波長であってもよい。第４蛍光体は励起光１１８を受け第１から第３発光色と異なる第４発光色を呈する。
【０１７２】  第４ドミナント波長は、例えば６１０〜７５０ｎｍの範囲にある。この場合、第４変換光は赤色光であり、第４蛍光体は紫外線又は短波長可視光（例えば紫色光）を赤色光に波長変換することができる赤色発光蛍光体である。一例として、第４蛍光体は、ＣＡＳＮ（カズン）蛍光体（ＣａＡｌＳｉＮ３：Ｅｕ２＋）であってもよい。
【０１７３】  通例、第３蛍光体及び第４蛍光体の母体色は、有色（すなわち非白色）である。よって、これらを含有する混合蛍光体含有層１４２も有色である。一方、第２蛍光体含有層１４４は母体色が白色である第２蛍光体を含有し、混合蛍光体含有層１４２の外側に配置され、第２蛍光体含有層１４４が白色表面１２６を形成している。
【０１７４】  したがって、実施の形態５に係る灯具１００においても、上述の実施の形態と同様に、光波長変換部材１１４の外観を白色化することができ、それにより、非点灯時における灯具１００の見映えをよくすることができる。
【０１７５】  灯具１００の点灯時には、発光素子１１２が発する励起光１１８が光波長変換部材１１４に入射するとき、励起光１１８は、混合蛍光体含有層１４２の第１蛍光体、第３蛍光体、及び第４蛍光体によって、黄色光、緑色光、及び赤色光にそれぞれ波長変換される。また、励起光１１８は、第２蛍光体含有層１４４の第２蛍光体によって青色光に波長変換される。黄色光、緑色光、赤色光、及び青色光を混合して得られる白色光が照明光１２０として白色表面１２６から出射される。
【０１７６】  実施の形態５に係る灯具１００においては、光波長変換部材１１４が、励起光１１８により励起された変換光のドミナント波長が互いに異なる複数種類、具体的には四種類の蛍光体を有する。このように多種類の蛍光体を光波長変換部材１１４に配合することにより、発光モジュール１１０は、より広い波長域で発光することができ、演色性に優れる灯具１００を提供することができる。
【０１７７】  実施の形態５に係る灯具１００においては、とくに、光波長変換部材１１４は、第１から第４蛍光体として、黄色発光蛍光体、青色発光蛍光体、緑色発光蛍光体、赤色発光蛍光体を有する。照明光１２０には黄色光、緑色光、赤色光、及び青色光が含まれるので、発光モジュール１１０は、可視光域全体の波長で発光することができる。よって、灯具１００は、高い演色性を有する白色光の発光を実現することができる。
【０１７８】  また、灯具１００はリモートフォスファー方式で構成されているから、灯具１００の点灯時には、より均一な輝度及び／またはより均一な色で比較的広い面積を照らす面発光を実現することができる。
【０１７９】  図１５（ａ）に示される灯具１００においては、光波長変換部材１１４が混合蛍光体含有層１４２と第２蛍光体含有層１４４の二層で形成されているが、光波長変換部材１１４は、三層またはそれより多くの層で形成されてもよい。
【０１８０】  図１５（ｂ）に示されるように、光波長変換部材１１４は、第１蛍光体含有層１３６、第２蛍光体含有層１４４、及び付加蛍光体含有層１７０を備える積層構造を有してもよい。第１蛍光体含有層１３６は、発光素子１１２に対向して配置され、付加蛍光体含有層１７０は、第１蛍光体含有層１３６の外側に配置されている。第２蛍光体含有層１４４は、付加蛍光体含有層１７０の外側に配置され、第２蛍光体含有層１４４が白色表面１２６を形成している。
【０１８１】  第１蛍光体含有層１３６は第１蛍光体（例えば黄色発光蛍光体）を含有し、第２蛍光体含有層１４４は第２蛍光体（例えば青色発光蛍光体）を含有する。付加蛍光体含有層１７０は、第３蛍光体（例えば緑色発光蛍光体）及び第４蛍光体（例えば赤色発光蛍光体）を含有する。各蛍光体含有層は、基材と基材に分散した蛍光体粒子とを備える蛍光体含有シートとして形成されてもよい。また、付加蛍光体含有層１７０に代えて、光波長変換部材１１４は、第３蛍光体を含有する第３蛍光体含有層と、第４蛍光体を含有する第４蛍光体含有層とを備えてもよい。
【０１８２】  このようにしても、光波長変換部材１１４の外観を白色化することができ、それにより、非点灯時における灯具１００の見映えをよくすることができる。また、発光モジュール１１０はより広い波長域（好ましくは、可視光域全体の波長）で発光することができ、演色性に優れる灯具１００を提供することができる。
【０１８３】  上述の実施の形態では、白色表面１２６を形成する蛍光体含有層（例えば第２蛍光体含有層１４４）は、母体色を白色とする蛍光体のみを含有するが、これは必須ではない。白色表面１２６の白色度が灯具１００の用途や意匠など求められる諸条件に適合する場合には、白色表面１２６を形成する蛍光体含有層は、母体色を非白色とする蛍光体を含有してもよい。
【０１８４】  ある実施の形態に関連して説明した種々の特徴は、他の実施の形態にも適用可能である。組合せによって生じる新たな実施の形態は、組み合わされる実施の形態それぞれの効果をあわせもつ。例えば、実施の形態１、２に関連して説明した拡散材層が、実施の形態３から５のいずれかに適用されてもよい。実施の形態３に関連して説明した蛍光体粒子の粒径分布が、実施の形態１、２、４、５のいずれかに適用されてもよい。実施の形態４に関連して説明した蛍光体の濃度分布が、実施の形態１、２、３、５のいずれかに適用されてもよい。実施の形態５に関連して説明した多種類の蛍光体の利用が、実施の形態１から４のいずれかに適用されてもよい。
【０１８５】  本発明は、上述した実施の形態及び変形例に限定されるものではなく、実施の形態及び変形例を組み合わせたり、当業者の知識に基づいて各種の設計変更などのさらなる変形を加えることも可能であり、そのような組み合わせられ、もしくはさらなる変形が加えられた実施の形態や変形例も本発明の範囲に含まれる。上述した実施の形態や変形例、及び上述した実施の形態や変形例と以下の変形との組合せによって生じる新たな実施の形態は、組み合わされる実施の形態、変形例及びさらなる変形それぞれの効果をあわせもつ。
【０１８６】  灯具１００における発光素子１１２の発光波長と光波長変換部材１１４の蛍光体材料との組み合わせは、上述の実施の形態において明示的に言及したもの限られないことは明らかであろう。発光素子１１２の発光波長と光波長変換部材１１４の蛍光体材料との具体的な組み合わせは、白色光又はその他の所望の照明色（例えばアンバー色、または赤色）をもつ光を得るための種々の公知の構成を適宜採用することができる。
【０１８７】  上述の実施の形態では、灯具が車両用灯具としてのデイタイムランニングランプ（及びクリアランスランプ）である場合を例に挙げて説明したが、灯具はこの具体例に限られない。実施の形態に係る灯具は、ターンシグナルランプ、テールランプ等のその他の標識灯や、ヘッドランプ、ブレーキランプ等、他の車両用灯具であってもよい。また、実施の形態に係る灯具は、車両用灯具には限られず、一般照明又はその他種々の用途に使用される灯具であってもよい。
【０１８８】  上述の実施の形態では、リモートフォスファー方式の灯具を例示して説明しているが、これに限られない。実施の形態に係る灯具は、光波長変換部材が灯具の外から視認されうる設計を有する任意の灯具であってもよい。
【０１８９】  以下、本発明の幾つかの実施形態を挙げる。
【０１９０】  １．紫外線又は短波長可視光を発する発光素子と、  前記発光素子から離間して配置された光波長変換部材であって、外部から視認可能に配置された白色表面を備える光波長変換部材と、を備え、  前記光波長変換部材は、前記発光素子の点灯により前記白色表面を所定色で発光させるために複数種類の蛍光体を有し、少なくとも一種の蛍光体の母体色が白色であることを特徴とする灯具。
【０１９１】  ２．前記光波長変換部材は、  前記紫外線又は短波長可視光により励起され、第１ドミナント波長を有する第１変換光を発する第１蛍光体を含有する第１蛍光体含有シートと、  前記紫外線又は短波長可視光により励起され、第１ドミナント波長より短い第２ドミナント波長を有する第２変換光を発する第２蛍光体を含有し、前記第２蛍光体の母体色が白色である第２蛍光体含有シートと、を備えることを特徴とする実施形態１に記載の灯具。
【０１９２】  ３．前記第２蛍光体含有シートは、前記第１蛍光体含有シートの外側に配置され、前記第２蛍光体含有シートが前記白色表面を形成し、又は、  前記光波長変換部材は、前記第２蛍光体含有シートの外側に配置され、白色の拡散材を含有する拡散材含有シートを備え、前記拡散材含有シートが前記白色表面を形成することを特徴とする実施形態２に記載の灯具。
【０１９３】  ４．前記光波長変換部材は、前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体の両方を含有し、前記第２蛍光体の母体色が白色である混合蛍光体含有シートを備えることを特徴とする実施形態１に記載の灯具。
【０１９４】  ５．前記混合蛍光体含有シートが前記白色表面を形成し、又は、  前記光波長変換部材は、前記混合蛍光体含有シートの外側に配置され、白色の拡散材を含有する拡散材含有シートを備え、前記拡散材含有シートが前記白色表面を形成することを特徴とする実施形態４に記載の灯具。
【０１９５】  ６．前記光波長変換部材の厚さは、０．１〜２０ｍｍの範囲にあることを特徴とする実施形態１から５のいずれかに記載の灯具。
【０１９６】  ７．前記光波長変換部材における第１蛍光体の濃度は、０．１〜２０体積％の範囲にあり、前記光波長変換部材における第２蛍光体の濃度は、０．１〜２０体積％の範囲にあることを特徴とする実施形態１から６のいずれかに記載の灯具。
【０１９７】  ８．前記紫外線又は短波長可視光により励起され、第１ドミナント波長を有する第１変換光を発する第１蛍光体を含有する第１蛍光体含有層をさらに備え、  前記光波長変換部材は、前記紫外線又は短波長可視光により励起され、第１ドミナント波長より短い第２ドミナント波長を有する第２変換光を発する第２蛍光体を含有し、前記第２蛍光体の母体色が白色である第２蛍光体含有層を備えることを特徴とする実施形態１に記載の灯具。
【０１９８】  ９．前記光波長変換部材は、少なくとも前記第２蛍光体含有層を支持する透明支持部材を備え、前記透明支持部材は、前記発光素子から離間して配置され前記発光素子側を向く内面を有し、  前記第２蛍光体含有層が、前記透明支持部材の前記内面と前記第１蛍光体含有層との間に配置されていることを特徴とする実施形態８に記載の灯具。
【０１９９】  １０．前記透明支持部材は、前記発光素子とは反対側を向く外面を有し、  前記透明支持部材の前記外面は、前記光波長変換部材から出射する出射光の出射方向を制御するよう光学設計された光学形状を備えることを特徴とする実施形態９に記載の灯具。
【０２００】  １１．前記光波長変換部材は、少なくとも前記第２蛍光体含有層を支持する透明支持部材を備え、前記透明支持部材は、前記発光素子から離間して配置され前記発光素子側を向く内面と、前記発光素子とは反対側を向く外面とを有し、  前記第２蛍光体含有層は、前記透明支持部材の前記外面の外側に配置され、  前記第１蛍光体含有層は、前記透明支持部材の前記外面と前記第２蛍光体含有層との間に、又は、前記透明支持部材の前記内面と前記発光素子との間に配置されていることを特徴とする実施形態８に記載の灯具。
【０２０１】  １２．前記透明支持部材の前記内面は、前記光波長変換部材の発光面の輝度分布を制御するよう光学設計された光学形状を備えることを特徴とする実施形態１１に記載の灯具。
【０２０２】  １３．前記第２蛍光体含有層は、基材と前記基材に分散した第２蛍光体粒子とを備える第２蛍光体含有シートとして形成されていることを特徴とする実施形態８に記載の灯具。
【０２０３】  １４．前記第１蛍光体含有層は、前記第２蛍光体含有シート上に形成され、又は、前記第２蛍光体含有シートと前記発光素子との間に配置され、又は、前記発光素子の発光面を被覆していることを特徴とする実施形態１３に記載の灯具。
【０２０４】  １５．前記第２蛍光体含有層が前記白色表面を形成することを特徴とする実施形態８から１４のいずれかに記載の灯具。
【０２０５】  １６．前記光波長変換部材は、    前記紫外線又は短波長可視光により励起され、第１ドミナント波長を有する第１変換光を発する第１蛍光体粒子を含有する第１蛍光体含有層と、    前記紫外線又は短波長可視光により励起され、第１ドミナント波長より短い第２ドミナント波長を有する第２変換光を発する第２蛍光体粒子を含有し、前記第２蛍光体粒子の母体色が白色である第２蛍光体含有層と、を備え、  前記第２蛍光体含有層は、前記第１蛍光体含有層に対し前記発光素子とは反対側に配置されており、  前記第２蛍光体粒子の粒径が、前記第１蛍光体粒子の粒径より小さいことを特徴とする実施形態１に記載の灯具。
【０２０６】  １７．前記第１蛍光体含有層は、基材と前記基材に分散した前記第１蛍光体粒子とを備える第１蛍光体含有シートとして形成され、  前記第２蛍光体含有層は、基材と前記基材に分散した前記第２蛍光体粒子とを備える第２蛍光体含有シートとして形成されていることを特徴とする実施形態１６に記載の灯具。
【０２０７】  １８．前記光波長変換部材は、前記第１蛍光体含有層と前記第２蛍光体含有層とを備える単一の蛍光体含有シートを備えることを特徴とする実施形態１６に記載の灯具。
【０２０８】  １９．前記光波長変換部材は、前記第１蛍光体含有層と前記第２蛍光体含有層とを支持する透明支持部材を備えることを特徴とする実施形態１６に記載の灯具。
【０２０９】  ２０．前記第２蛍光体含有層は、外部から視認可能に配置されかつ前記発光素子の点灯により所定色で発光する白色表面を備えることを特徴とする実施形態１６から１９のいずれかに記載の灯具。
【０２１０】  ２１．前記光波長変換部材は、前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体とを含有し、前記第２蛍光体の母体色が白色であり、  前記光波長変換部材は、少なくとも１つの低濃度領域と、前記光波長変換部材の厚さ方向に垂直な面内において前記少なくとも１つの低濃度領域に比べて前記発光素子から離れて位置する少なくとも１つの高濃度領域と、を備え、  前記高濃度領域での前記第１蛍光体の濃度が前記低濃度領域での前記第１蛍光体の濃度より高く、及び／または、前記高濃度領域での前記第２蛍光体の濃度が前記低濃度領域での前記第２蛍光体の濃度より高いことを特徴とする実施形態１に記載の灯具。
【０２１１】  ２２．前記少なくとも１つの低濃度領域は、前記発光素子の直上に位置する低濃度領域を含み、前記少なくとも１つの高濃度領域は、前記発光素子の直上に位置する低濃度領域の周囲に位置する高濃度領域を含むことを特徴とする実施形態２１に記載の灯具。
【０２１２】  ２３．複数の発光素子を備え、  前記少なくとも１つの低濃度領域は、対応する発光素子の直上に各々が位置する複数の低濃度領域を含み、  前記少なくとも１つの高濃度領域は、隣接する発光素子間の直上に各々が位置する複数の高濃度領域を含むことを特徴とする実施形態２１または２２に記載の灯具。
【０２１３】  ２４．前記少なくとも１つの高濃度領域は、前記光波長変換部材の外周の少なくとも一部に沿って延在する高濃度領域を含むことを特徴とする実施形態２１から２３のいずれかに記載の灯具。
【０２１４】  ２５．前記光波長変換部材の外周の少なくとも一部に沿って延在する高濃度領域は、前記光波長変換部材の外周の全体に沿って延在することを特徴とする実施形態２４に記載の灯具。
【０２１５】  ２６．前記光波長変換部材の外周の少なくとも一部に沿って延在する高濃度領域の内周は、前記光波長変換部材の外周から１〜５ｍｍの範囲にあることを特徴とする実施形態２４または２５に記載の灯具。
【０２１６】  ２７．前記高濃度領域での前記第１蛍光体の濃度は、０．１〜２０体積％の範囲にあり、前記低濃度領域での前記第１蛍光体の濃度は、０．０１〜１０体積％の範囲にあることを特徴とする実施形態２１から２６のいずれかに記載の灯具。
【０２１７】  ２８．前記高濃度領域での前記第２蛍光体の濃度は、０．１〜２０体積％の範囲にあり、前記低濃度領域での前記第２蛍光体の濃度は、０．０１〜１０体積％の範囲にあることを特徴とする実施形態２１から２７のいずれかに記載の灯具。
【０２１８】  ２９．前記光波長変換部材は、前記第１蛍光体を含有する第１蛍光体含有層と、前記第２蛍光体を含有する第２蛍光体含有層と、を備え、前記第２蛍光体含有層は、前記第１蛍光体含有層に対し前記発光素子とは反対側に配置され、  前記第１蛍光体含有層は、少なくとも１つの第１低濃度領域と、前記光波長変換部材の厚さ方向に垂直な面内において前記少なくとも１つの第１低濃度領域に比べて前記発光素子から離れて位置する少なくとも１つの第１高濃度領域と、を備え、  前記第２蛍光体含有層は、少なくとも１つの第２低濃度領域と、前記光波長変換部材の厚さ方向に垂直な面内において前記少なくとも１つの第２低濃度領域に比べて前記発光素子から離れて位置する少なくとも１つの第２高濃度領域と、を備え、  前記第１高濃度領域での前記第１蛍光体の濃度が前記第１低濃度領域での前記第１蛍光体の濃度より高く、前記第２高濃度領域での前記第２蛍光体の濃度が前記第２低濃度領域での前記第２蛍光体の濃度より高いことを特徴とする実施形態２１から２８のいずれかに記載の灯具。
【０２１９】  ３０．前記第１高濃度領域は、前記光波長変換部材の厚さ方向に垂直な面内において前記第２高濃度領域と少なくとも部分的に重なり合い、前記第１低濃度領域は、前記光波長変換部材の厚さ方向に垂直な面内において前記第２低濃度領域と少なくとも部分的に重なり合っていることを特徴とする実施形態２９に記載の灯具。
【０２２０】  ３１．前記光波長変換部材は、外部から視認可能に配置されかつ前記発光素子の点灯により所定色で発光する白色表面を備えることを特徴とする実施形態２１から３０のいずれかに記載の灯具。
【０２２１】  ３２．前記光波長変換部材は、  前記発光素子から離間して配置され前記発光素子側を向く内面と、前記発光素子とは反対側を向く外面とを有する透明支持部材と、  前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体の両方を含有し、前記第２蛍光体の母体色が白色である混合蛍光体含有層と、を備えることを特徴とする実施形態１に記載の灯具。
【０２２２】  ３３．前記光波長変換部材は、前記紫外線又は短波長可視光により励起され、第１ドミナント波長及び第２ドミナント波長と異なる第３ドミナント波長を有する第３変換光を発する第３蛍光体を備えることを特徴とする実施形態２から３２のいずれかに記載の灯具。
【符号の説明】
【０２２３】  １００  灯具、  １１０  発光モジュール、  １１２  発光素子、  １１４  光波長変換部材、  １２２  第１蛍光体含有シート、  １２４  第２蛍光体含有シート、  １２６  白色表面、  １３０  混合蛍光体含有シート、  １３２  拡散材含有シート、  １３６  第１蛍光体含有層、  １４０  透明支持部材、  １４２  混合蛍光体含有層、  １４４  第２蛍光体含有層、  １５２  第１粒径分布、  １５４  第２粒径分布、  １５６  蛍光体含有シート、  １５８  第１低濃度領域、  １６０  第１高濃度領域、  １６２  第２低濃度領域、  １６４  第２高濃度領域。
【産業上の利用可能性】
【０２２４】  本発明は、灯具、例えば、車両用灯具に利用できる。
【図１】
2019059065.tif 000003
【図２】
2019059065.tif 000004
【図３】
2019059065.tif 000005
【図４】
2019059065.tif 000006
【図５】
2019059065.tif 000007
【図６】
2019059065.tif 000008
【図７】
2019059065.tif 000009
【図８】
2019059065.tif 000010
【図９】
2019059065.tif 000011
【図１０】
2019059065.tif 000012
【図１１】
2019059065.tif 000013
【図１２】
2019059065.tif 000014
【図１３】
2019059065.tif 000015
【図１４】
2019059065.tif 000016
【図１５】
2019059065.tif 000017
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
ランプボディと透光カバーとを備える灯具筐体と、
前記灯具筐体の内部に収容された発光モジュールと、を備え、
前記発光モジュールは、
紫外線又は短波長可視光を発する発光素子と、
前記発光素子から離間して配置された光波長変換部材であって、外部から視認可能に配置された白色表面を備える光波長変換部材と、を備え、
前記光波長変換部材は、前記発光素子の点灯により前記白色表面を所定色で発光させるために複数種類の蛍光体を有し、少なくとも一種の蛍光体の母体色が白色であることを特徴とする灯具。
【請求項２】
前記光波長変換部材は、
前記紫外線又は短波長可視光により励起され、第１ドミナント波長を有する第１変換光を発する第１蛍光体を含有する第１蛍光体含有シートと、
前記紫外線又は短波長可視光により励起され、第１ドミナント波長より短い第２ドミナント波長を有する第２変換光を発する第２蛍光体を含有し、前記第２蛍光体の母体色が白色である第２蛍光体含有シートと、を備えることを特徴とする請求項１に記載の灯具。
【請求項３】
前記第２蛍光体含有シートは、前記第１蛍光体含有シートの外側に配置され、前記第２蛍光体含有シートが前記白色表面を形成し、又は、
前記光波長変換部材は、前記第２蛍光体含有シートの外側に配置され、白色の拡散材を含有する拡散材含有シートを備え、前記拡散材含有シートが前記白色表面を形成することを特徴とする請求項２に記載の灯具。
【請求項４】
前記光波長変換部材は、前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体の両方を含有し、前記第２蛍光体の母体色が白色である混合蛍光体含有シートを備えることを特徴とする請求項１に記載の灯具。
【請求項５】
前記混合蛍光体含有シートが前記白色表面を形成し、又は、
前記光波長変換部材は、前記混合蛍光体含有シートの外側に配置され、白色の拡散材を含有する拡散材含有シートを備え、前記拡散材含有シートが前記白色表面を形成することを特徴とする請求項４に記載の灯具。
【請求項６】
前記光波長変換部材の厚さは、０．１〜２０ｍｍの範囲にあることを特徴とする請求項１から５のいずれかに記載の灯具。
【請求項７】
前記光波長変換部材における第１蛍光体の濃度は、０．１〜２０体積％の範囲にあり、前記光波長変換部材における第２蛍光体の濃度は、０．１〜２０体積％の範囲にあることを特徴とする請求項１から６のいずれかに記載の灯具。
【請求項８】
前記紫外線又は短波長可視光により励起され、第１ドミナント波長を有する第１変換光を発する第１蛍光体を含有する第１蛍光体含有層をさらに備え、
前記光波長変換部材は、前記紫外線又は短波長可視光により励起され、第１ドミナント波長より短い第２ドミナント波長を有する第２変換光を発する第２蛍光体を含有し、前記第２蛍光体の母体色が白色である第２蛍光体含有層を備えることを特徴とする請求項１に記載の灯具。
【請求項９】
前記光波長変換部材は、少なくとも前記第２蛍光体含有層を支持する透明支持部材を備え、前記透明支持部材は、前記発光素子から離間して配置され前記発光素子側を向く内面を有し、
前記第２蛍光体含有層が、前記透明支持部材の前記内面と前記第１蛍光体含有層との間に配置されていることを特徴とする請求項８に記載の灯具。
【請求項１０】
前記透明支持部材は、前記発光素子とは反対側を向く外面を有し、
前記透明支持部材の前記外面は、前記光波長変換部材から出射する出射光の出射方向を制御するよう光学設計された光学形状を備えることを特徴とする請求項９に記載の灯具。
【請求項１１】
前記光波長変換部材は、少なくとも前記第２蛍光体含有層を支持する透明支持部材を備え、前記透明支持部材は、前記発光素子から離間して配置され前記発光素子側を向く内面と、前記発光素子とは反対側を向く外面とを有し、
前記第２蛍光体含有層は、前記透明支持部材の前記外面の外側に配置され、
前記第１蛍光体含有層は、前記透明支持部材の前記外面と前記第２蛍光体含有層との間に、又は、前記透明支持部材の前記内面と前記発光素子との間に配置されていることを特徴とする請求項８に記載の灯具。
【請求項１２】
前記透明支持部材の前記内面は、前記光波長変換部材の発光面の輝度分布を制御するよう光学設計された光学形状を備えることを特徴とする請求項１１に記載の灯具。
【請求項１３】
前記第２蛍光体含有層は、基材と前記基材に分散した第２蛍光体粒子とを備える第２蛍光体含有シートとして形成されていることを特徴とする請求項８に記載の灯具。
【請求項１４】
前記第１蛍光体含有層は、前記第２蛍光体含有シート上に形成され、又は、前記第２蛍光体含有シートと前記発光素子との間に配置され、又は、前記発光素子の発光面を被覆していることを特徴とする請求項１３に記載の灯具。
【請求項１５】
前記第２蛍光体含有層が前記白色表面を形成することを特徴とする請求項８から１４のいずれかに記載の灯具。
【請求項１６】
紫外線又は短波長可視光を発する発光素子と、
前記発光素子から離間して配置された光波長変換部材であって、外部から視認可能に配置された白色表面を備える光波長変換部材と、を有する発光モジュールを備え、
前記光波長変換部材は、前記発光素子の点灯により前記白色表面を所定色で発光させるために複数種類の蛍光体を有し、少なくとも一種の蛍光体の母体色が白色であり、
前記光波長変換部材は、
前記紫外線又は短波長可視光により励起され、第１ドミナント波長を有する第１変換光を発する第１蛍光体粒子を含有する第１蛍光体含有層と、
前記紫外線又は短波長可視光により励起され、第１ドミナント波長より短い第２ドミナント波長を有する第２変換光を発する第２蛍光体粒子を含有し、前記第２蛍光体粒子の母体色が白色である第２蛍光体含有層と、を備え、
前記第２蛍光体含有層は、前記第１蛍光体含有層に対し前記発光素子とは反対側に配置されており、
前記第２蛍光体粒子の粒径が、前記第１蛍光体粒子の粒径より小さいことを特徴とする灯具。
【請求項１７】
前記第１蛍光体含有層は、基材と前記基材に分散した前記第１蛍光体粒子とを備える第１蛍光体含有シートとして形成され、
前記第２蛍光体含有層は、基材と前記基材に分散した前記第２蛍光体粒子とを備える第２蛍光体含有シートとして形成されていることを特徴とする請求項１６に記載の灯具。
【請求項１８】
前記光波長変換部材は、前記第１蛍光体含有層と前記第２蛍光体含有層とを備える単一の蛍光体含有シートを備えることを特徴とする請求項１６に記載の灯具。
【請求項１９】
前記光波長変換部材は、前記第１蛍光体含有層と前記第２蛍光体含有層とを支持する透明支持部材を備えることを特徴とする請求項１６に記載の灯具。
【請求項２０】
前記第２蛍光体含有層は、外部から視認可能に配置されかつ前記発光素子の点灯により所定色で発光する白色表面を備えることを特徴とする請求項１６から１９のいずれかに記載の灯具。
【請求項２１】
紫外線又は短波長可視光を発する発光素子と、
前記発光素子から離間して配置された光波長変換部材であって、外部から視認可能に配置された白色表面を備える光波長変換部材と、を有する発光モジュールを備え、
前記光波長変換部材は、前記発光素子の点灯により前記白色表面を所定色で発光させるために複数種類の蛍光体を有し、少なくとも一種の蛍光体の母体色が白色であり、
前記光波長変換部材は、前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体とを含有し、前記第２蛍光体の母体色が白色であり、
前記光波長変換部材は、少なくとも１つの低濃度領域と、前記光波長変換部材の厚さ方向に垂直な面内において前記少なくとも１つの低濃度領域に比べて前記発光素子から離れて位置する少なくとも１つの高濃度領域と、を備え、
前記高濃度領域での前記第１蛍光体の濃度が前記低濃度領域での前記第１蛍光体の濃度より高く、及び／または、前記高濃度領域での前記第２蛍光体の濃度が前記低濃度領域での前記第２蛍光体の濃度より高いことを特徴とする灯具。
【請求項２２】
前記少なくとも１つの低濃度領域は、前記発光素子の直上に位置する低濃度領域を含み、前記少なくとも１つの高濃度領域は、前記発光素子の直上に位置する低濃度領域の周囲に位置する高濃度領域を含むことを特徴とする請求項２１に記載の灯具。
【請求項２３】
複数の発光素子を備え、
前記少なくとも１つの低濃度領域は、対応する発光素子の直上に各々が位置する複数の低濃度領域を含み、
前記少なくとも１つの高濃度領域は、隣接する発光素子間の直上に各々が位置する複数の高濃度領域を含むことを特徴とする請求項２１または２２に記載の灯具。
【請求項２４】
前記少なくとも１つの高濃度領域は、前記光波長変換部材の外周の少なくとも一部に沿って延在する高濃度領域を含むことを特徴とする請求項２１から２３のいずれかに記載の灯具。
【請求項２５】
前記光波長変換部材の外周の少なくとも一部に沿って延在する高濃度領域は、前記光波長変換部材の外周の全体に沿って延在することを特徴とする請求項２４に記載の灯具。
【請求項２６】
前記光波長変換部材の外周の少なくとも一部に沿って延在する高濃度領域の内周は、前記光波長変換部材の外周から１〜５ｍｍの範囲にあることを特徴とする請求項２４または２５に記載の灯具。
【請求項２７】
前記高濃度領域での前記第１蛍光体の濃度は、０．１〜２０体積％の範囲にあり、前記低濃度領域での前記第１蛍光体の濃度は、０．０１〜１０体積％の範囲にあることを特徴とする請求項２１から２６のいずれかに記載の灯具。
【請求項２８】
前記高濃度領域での前記第２蛍光体の濃度は、０．１〜２０体積％の範囲にあり、前記低濃度領域での前記第２蛍光体の濃度は、０．０１〜１０体積％の範囲にあることを特徴とする請求項２１から２７のいずれかに記載の灯具。
【請求項２９】
前記光波長変換部材は、前記第１蛍光体を含有する第１蛍光体含有層と、前記第２蛍光体を含有する第２蛍光体含有層と、を備え、前記第２蛍光体含有層は、前記第１蛍光体含有層に対し前記発光素子とは反対側に配置され、
前記第１蛍光体含有層は、少なくとも１つの第１低濃度領域と、前記光波長変換部材の厚さ方向に垂直な面内において前記少なくとも１つの第１低濃度領域に比べて前記発光素子から離れて位置する少なくとも１つの第１高濃度領域と、を備え、
前記第２蛍光体含有層は、少なくとも１つの第２低濃度領域と、前記光波長変換部材の厚さ方向に垂直な面内において前記少なくとも１つの第２低濃度領域に比べて前記発光素子から離れて位置する少なくとも１つの第２高濃度領域と、を備え、
前記第１高濃度領域での前記第１蛍光体の濃度が前記第１低濃度領域での前記第１蛍光体の濃度より高く、前記第２高濃度領域での前記第２蛍光体の濃度が前記第２低濃度領域での前記第２蛍光体の濃度より高いことを特徴とする請求項２１から２８のいずれかに記載の灯具。
【請求項３０】
前記第１高濃度領域は、前記光波長変換部材の厚さ方向に垂直な面内において前記第２高濃度領域と少なくとも部分的に重なり合い、前記第１低濃度領域は、前記光波長変換部材の厚さ方向に垂直な面内において前記第２低濃度領域と少なくとも部分的に重なり合っていることを特徴とする請求項２９に記載の灯具。
【請求項３１】
前記光波長変換部材は、外部から視認可能に配置されかつ前記発光素子の点灯により所定色で発光する白色表面を備えることを特徴とする請求項２１から３０のいずれかに記載の灯具。
【請求項３２】
前記光波長変換部材は、
前記発光素子から離間して配置され前記発光素子側を向く内面と、前記発光素子とは反対側を向く外面とを有する透明支持部材と、
前記紫外線又は短波長可視光により励起され、第１ドミナント波長を有する第１変換光を発する第１蛍光体と、前記紫外線又は短波長可視光により励起され、第１ドミナント波長より短い第２ドミナント波長を有する第２変換光を発する第２蛍光体の両方を含有し、前記第２蛍光体の母体色が白色である混合蛍光体含有層と、を備えることを特徴とする請求項１に記載の灯具。
【請求項３３】
前記光波長変換部材は、前記紫外線又は短波長可視光により励起され、第１ドミナント波長及び第２ドミナント波長と異なる第３ドミナント波長を有する第３変換光を発する第３蛍光体を備えることを特徴とする請求項２から３２のいずれかに記載の灯具。
【国際調査報告】
2019059065.tif 000018
2019059065.tif 000019
2019059065.tif 000020
2019059065.tif 000021